(57)【要約】分析物監視システムのユーザインタフェースを実装する方法、装置、及びシステムが開示される。一態様では、本技術の分析物監視システムは、ユーザが、患者の体液（例えば、血液、唾液、又は尿）で見つけられる分析物質のレベルの個々のパターン及び変化を識別できるようにするとともに、例えば、投薬のタイミング及び投与量、食事プラン、身体活動、又は他の介入等のとるべき処置について、分析物レベルに基づいて患者をガイドするインタラクティブグラフィカルオーディオユーザインタフェースを含む。
2015531916.tif 000002
【特許請求の範囲】
【請求項１】
計算装置上で患者情報を提示する方法であって、
ウェブポータルを動作させる通信ネットワーク内のコンピュータ又はコンピュータシステムの１つ又は複数のコンピュータプロセッサを使用して、患者の健康情報を処理することであって、前記健康情報は、分析物測定装置から測定された前記患者の分析物レベル及び健康関連因子を含む、処理することと、
前記処理された健康情報の少なくともいくらかをユーザの計算装置上で提示し、ユーザが対話できるようにする、前記ウェブポータルに基づくインタラクティブユーザインタフェースを提供することであって、前記インタラクティブユーザインタフェースは、前記処理された健康情報を編成する複数のデータモジュールを含む、提供することと、
を含み、
前記データモジュールは、
前記測定された分析物レベルの最近の測定値及び履歴のうちの一方又は両方を提供する分析物レベルモジュールと、
薬剤名又は識別子、服用された薬剤のタイプ、服用の日時、及び服用された投与量のうちの少なくとも１つを含む、前記患者が服用する１つ又は複数の薬剤の薬剤データを提供する薬剤モジュールと、
前記患者による炭水化物摂取データを提供する栄養モジュールと、
前記ユーザの歩数又は前記ユーザによって行われた運動の持続時間のうちの少なくとも一方を含むフィットネスデータを提供するフィットネスモジュールと、
を含む、方法。
【請求項２】
前記ユーザは、前記患者、医療提供者、介護者、健康データ管理者、又は医療費支払者のうちの１つを含む、請求項１に記載の方法。
【請求項３】
前記ユーザの前記計算装置は、デスクトップ若しくはラップトップコンピュータ装置、スマートフォン若しくはタブレットを含むモバイル通信装置、又は前記分析物測定装置のうちの少なくとも１つを含む、請求項１に記載の方法。
【請求項４】
前記インタラクティブユーザインタフェースは、前記ユーザが、（１）ユーザ選択の時間スパンに基づいて前記健康情報のデータ履歴を選択すること、（２）前記分析物測定装置の設定を個人化すること、（３）前記データモジュール内の前記健康情報の特定のデータにフラグを付けること、又は（４）前記データモジュール内の前記健康情報の特定のデータに関連する質問を提出することのうちの１つ又は複数を実行できるようにする、請求項１に記載の方法。
【請求項５】
前記データモジュールのうちの少なくとも１つにおける前記健康情報に対応する閾値を含む患者目標情報を受信することと、
前記患者目標情報を処理して、前記対応する健康情報に関して前記閾値を分析することと、
を更に含む、請求項１に記載の方法。
【請求項６】
前記患者目標情報は、前記複数のデータモジュールの目標モジュール内に編成される、請求項５に記載の方法。
【請求項７】
前記健康情報のデータ値が前記対応する閾値を超える場合、警告を生成することを更に含む、請求項５に記載の方法。
【請求項８】
前記インタラクティブユーザインタフェースを提供することは、前記計算装置の表示画
面に、（ｉ）前記データモジュールのそれぞれの概要健康情報、（ｉｉ）前記データモジュールのうちの１つ又は複数からの前記健康情報のグラフィック分析、及び（ｉｉｉ）前記グラフィック分析として表示する前記健康情報を選択するための、前記データモジュールに対応する選択ボタンを表示することを含む、請求項１に記載の方法。
【請求項９】
前記表示されるグラフィック分析は、前記ユーザがテキスト、画像、又はオーディオデータのうちの少なくとも１つを追加できるようにするユーザインタラクティブタグを含む、請求項８に記載の方法。
【請求項１０】
前記薬剤モジュールの前記薬剤データは、前記患者による前記１つ又は複数の薬剤の服用についての指示を含む、請求項１に記載の方法。
【請求項１１】
前記分析物測定装置から前記通信ネットワーク内の前記コンピュータ又は前記コンピュータシステムに通信リンクを介して、前記患者の歩数を記録する前記分析物測定装置の歩数計ユニットによって収集された歩数データを取得することを更に含み、
前記取得された歩数データは、前記フィットネスモジュール内に編成される、請求項１に記載の方法。
【請求項１２】
前記複数のデータモジュールは、（ｉ）テキスト、画像、又はオーディオデータを含むユーザ入力データ、及び（ｉｉ）前記計算装置の表示画面に表示される前記インタラクティブユーザインタフェースのスナップショット画像のうちの一方又は両方を含むジャーナルデータを提供するジャーナルモジュールを含む、請求項１に記載の方法。
【請求項１３】
前記インタラクティブユーザインタフェースを提供することは、前記計算装置の表示画面に、（ｉ）ユーザが前記ユーザ入力データのテキストを入力できるようにするダイアログボックス、（ｉｉ）前記ジャーナルデータが前記ジャーナルモジュールに入力された対応する日時を有する前記ジャーナルデータのリスト、及び（ｉｉｉ）ユーザが前記ジャーナルデータ内で検索するテキストを入力できるようにするか、又は前記ジャーナルデータ内で検索するキーワードをキーワードリストから選択できるようにする検索ボックスを表示することを含む、請求項１２に記載の方法。
【請求項１４】
前記複数のデータモジュールは、ユーザ選択に基づいて、テーブル、テキストでの説明、グラフ、又はそれらの組み合わせを含む前記健康情報のうちの少なくともいくらかを外部ファイルにエクスポートするリポートモジュールを含み、前記ユーザは、前記外部ファイルに含める前記健康情報の時間期間及びタイプを選択する、請求項１に記載の方法。
【請求項１５】
前記インタラクティブユーザインタフェースを提供することは、前記コンピュータ装置の表示画面に、前記外部ファイルに含める所定の健康情報を含むリポートフォーマットの選択可能リストを表示することを含む、請求項１４に記載の方法。
【請求項１６】
前記測定される分析物レベルは血糖値を含み、前記１つ又は複数の薬剤はインスリンを含む、請求項１に記載の方法。
【請求項１７】
前記健康情報を処理することは、前記健康情報を分析して、実測血糖値とその変動レベルとの相関及び前記実測血糖値と、炭水化物消費、注入されたインスリン量、前記患者が服用する非インスリン薬剤、運動量、ストレスの発現、又は疾患の発現のうちの１つ又は複数を含む前記健康関連因子との相関を特定することを含む、請求項１６に記載の方法。
【請求項１８】
前記相関を処理して、特定のデータ値が所定の閾値を超える場合、警告を生成することを更に含む、請求項１７に記載の方法。
【請求項１９】
前記特定のデータ値は前記血糖値を含む、請求項１８に記載の方法。
【請求項２０】
前記警告は、テキストメッセージ、電話呼、電子メール、又は計算装置若しくは前記分析物測定装置のアプリケーションでの視覚的メッセージ若しくはオーディオアラームのうちの１つ又は複数の形態である、請求項１８に記載の方法。
【請求項２１】
前記相関を処理して、事象が予期されるときに発生しない場合、警告を生成することを含む、請求項１７に記載の方法。
【請求項２２】
前記分析物測定装置の前記通信ネットワーク内の前記コンピュータ又はコンピュータシステムにより、通信リンクを介して、前記分析物測定装置内の消耗品構成要素の量を監視することを更に含む、請求項１に記載の方法。
【請求項２３】
前記消耗品構成要素の量が所定の最小閾値に達するときを特定することと、
前記量に基づいてある数量の前記消耗品構成要素を注文することと、
を更に含み、
前記注文することは、前記分析物測定装置、前記ウェブポータルを動作させる前記コンピュータ又は前記コンピュータシステム、又は前記ウェブポータルと通信するアプリケーションを操作するモバイルコンピュータ装置のうちの少なくとも１つによって実行される、請求項２２に記載の方法。
【請求項２４】
前記分析物測定装置の前記通信ネットワーク内の前記コンピュータ又はコンピュータシステムにより、通信リンクを介して、前記分析物測定装置の位置情報を監視することと、
前記分析物測定装置が異なるタイムゾーンに入るときを認識することと、
前記異なるタイムゾーンに基づいて、プログラムされた警告及び時間スタンプ情報を更新することと、
を更に含む、請求項１に記載の方法。
【請求項２５】
前記通信ネットワーク内の前記コンピュータ又はコンピュータシステムから通信リンクを介して、前記ウェブポータルのデータのデータ更新を前記分析物測定装置に送信することを更に含み、前記データ更新は、処方情報、食事情報、患者目標情報、又はユーザ設定若しくはプロフィール情報のうちの少なくとも１つを含む、請求項１に記載の方法。
【請求項２６】
前記インタラクティブユーザインタフェースは、前記患者の前記健康情報を管理するために前記患者がアクセスする患者アクセス可能インタフェースと、前記患者及び１人又は複数の他の患者の前記健康情報を管理するために医療提供者又は介護者がアクセスする介護者アクセス可能インタフェースとを含む、請求項１に記載の方法。
【請求項２７】
前記インタラクティブユーザインタフェースは、グラフィカルオーディオ統合ユーザインタフェースである、請求項１に記載の方法。
【請求項２８】
コードを記憶したコンピュータ可読記憶媒体を備えるコンピュータプログラム製品であって、前記コードは、実行されると、通信ネットワーク内のコンピュータ又はコンピュータシステムのプロセッサに、ウェブポータルを介してユーザ装置上で患者情報を提示する方法を実装させ、前記コンピュータプログラム製品は、前記コンピュータ又はコンピュータシステムによって動作して、前記方法を実装し、前記方法は、
分析物測定装置から測定される分析物レベル及び健康関連因子を含む患者の健康情報を処理することであって、前記健康情報は、通信リンクを介して前記通信ネットワーク内の前記コンピュータ又はコンピュータシステムによって取得される、処理することと、
前記処理された健康情報の少なくともいくらかをユーザによって操作される計算装置上で提示し、ユーザが対話できるようにする、前記ウェブポータルに基づくインタラクティブユーザインタフェースを提供することであって、前記インタラクティブユーザインタフェースは、前記処理された健康情報を編成する複数のデータモジュールを含む、提供することと、
を含み、
前記データモジュールは、
前記測定された分析物レベルの最近の測定値及び履歴のうちの一方又は両方を提供する分析物レベルモジュールと、
薬剤名又は識別子、服用された薬剤のタイプ、服用の日時、及び服用された投与量のうちの少なくとも１つを含む、前記患者が服用する１つ又は複数の薬剤の薬剤データを提供する薬剤モジュールと、
前記患者による炭水化物摂取データを提供する栄養モジュールと、
前記ユーザの歩数又は前記ユーザによって行われた運動の持続時間のうちの少なくとも一方を含むフィットネスデータを提供するフィットネスモジュールと、
を含む、コンピュータプログラム製品。
【請求項２９】
前記インタラクティブユーザインタフェースを提供することは、前記計算装置の表示画面に、（ｉ）前記データモジュールのそれぞれの概要健康情報、（ｉｉ）前記データモジュールのうちの１つ又は複数からの前記健康情報のグラフィック分析、（ｉｉｉ）前記グラフィック分析の近傍に提示される時間タグ付きデータとして、テキスト、画像、又はオーディオデータのうちの少なくとも１つをユーザが追加できるようにする、前記データモジュールに対応するタグの選択リスト、及び（ｉｖ）前記グラフィック分析として表示する前記健康情報を選択するための、前記データモジュールに対応する選択ボタンを表示することを含む、請求項２８に記載のコンピュータプログラム製品。
【請求項３０】
前記複数のデータモジュールは、（ｉ）テキスト、画像、又はオーディオデータを含むユーザ入力データ、及び（ｉｉ）前記計算装置の表示画面に表示される前記インタラクティブユーザインタフェースのスナップショット画像のうちの一方又は両方を含むジャーナルデータを提供するジャーナルモジュールを含む、請求項２８に記載のコンピュータプログラム製品。
【請求項３１】
前記インタラクティブユーザインタフェースを提供することは、前記計算装置の表示画面に、（ｉ）ユーザが前記ユーザ入力データのテキストを入力できるようにするダイアログボックス、（ｉｉ）前記ジャーナルデータが前記ジャーナルモジュールに入力された対応する日時を有する前記ジャーナルデータのリスト、及び（ｉｉｉ）ユーザが前記ジャーナルデータ内で検索するテキストを入力できるようにするか、又は前記ジャーナルデータ内で検索するキーワードをキーワードリストから選択できるようにする検索ボックスを表示することを含む、請求項３０に記載のコンピュータプログラム製品。
【請求項３２】
前記複数のデータモジュールは、ユーザ選択に基づいて、テーブル、テキストでの説明、グラフ、又はそれらの組み合わせを含む前記健康情報のうちの少なくともいくらかを外部ファイルにエクスポートするリポートモジュールを含み、前記ユーザは、前記外部ファイルに含める前記健康情報の時間期間及びタイプを選択する、請求項２８に記載のコンピュータプログラム製品。
【請求項３３】
前記インタラクティブユーザインタフェースを提供することは、前記コンピュータ装置の表示画面に、前記外部ファイルに含める所定の健康情報を含むリポートフォーマットの選択可能リストを表示することを含む、請求項３２に記載のコンピュータプログラム製品。
【請求項３４】
健康管理システムであって、
分析物の濃度レベルを測定する分析物監視装置と、
デスクトップコンピュータ、ラップトップコンピュータ、又はスマートフォン若しくはタブレットを含むモバイル通信装置のうちの少なくとも１つを含む計算装置と、
前記分析物監視装置及び前記計算装置と通信する計算システムであって、前記計算システムは、メモリユニット及び測定された分析物濃度レベル及び健康関連因子を含む患者の健康情報を含むデータを処理するように構成されるプロセッサを備える、計算システムと、
を備え、
前記計算システムは、前記処理された健康情報のうちの少なくともいくらかをユーザの前記計算装置上で提示し、ユーザが対話できるインタラクティブユーザインタフェースを提供するように構成されており、前記インタラクティブユーザインタフェースは、前記処理された健康情報を編成する複数のデータモジュールを含み、前記データモジュールは、
前記測定された分析物レベルの最近の測定値及び履歴のうちの一方又は両方を提供する分析物レベルモジュールと、
薬剤名又は識別子、服用された薬剤のタイプ、服用の日時、及び服用された投与量のうちの少なくとも１つを含む、前記患者が服用する１つ又は複数の薬剤の薬剤データを提供する薬剤モジュールと、
前記患者による炭水化物摂取データを提供する栄養モジュールと、
前記ユーザの歩数又は前記ユーザによって行われた運動の持続時間のうちの少なくとも一方を含むフィットネスデータを提供するフィットネスモジュールと、
を含む、システム。
【請求項３５】
前記ユーザは、前記患者、医療提供者、介護者、健康データ管理者、又は医療費支払者のうちの１つを含む、請求項３４に記載のシステム。
【請求項３６】
前記コンピュータシステムによって提示される前記インタラクティブユーザインタフェースは、前記ユーザが、（１）ユーザ選択の時間スパンに基づいて前記健康情報のデータ履歴を選択すること、（２）前記分析物測定装置の設定を個人化すること、（３）前記データモジュール内の前記健康情報の特定のデータにフラグを付けること、又は（４）前記データモジュール内の前記健康情報の特定のデータに関連する質問を提出することのうちの１つ又は複数を実行できるようにする、請求項３４に記載のシステム。
【請求項３７】
前記コンピュータシステムは、前記計算装置の表示画面に、（ｉ）前記データモジュールのそれぞれの概要健康情報、（ｉｉ）前記データモジュールのうちの１つ又は複数からの前記健康情報のグラフィック分析、（ｉｉｉ）前記グラフィック分析の近傍に提示される時間タグ付きデータとして、テキスト、画像、又はオーディオデータのうちの少なくとも１つをユーザが追加できるようにする、前記データモジュールに対応するタグの選択リスト、及び（ｉｖ）前記グラフィック分析として表示する前記健康情報を選択するための、前記データモジュールに対応する選択ボタンの１つ又は複数を表示するように構成される、請求項３４に記載のシステム。
【請求項３８】
前記複数のデータモジュールは、（ｉ）テキスト、画像、又はオーディオデータを含むユーザ入力データ、及び（ｉｉ）前記計算装置の表示画面に表示される前記インタラクティブユーザインタフェースのスナップショット画像のうちの一方又は両方を含むジャーナルデータを提供するジャーナルモジュールを含む、請求項３４に記載のシステム。
【請求項３９】
前記コンピュータシステムは、前記計算装置の表示画面に、（ｉ）ユーザが前記ユーザ入力データのテキストを入力できるようにするダイアログボックス、（ｉｉ）前記ジャー
ナルデータが前記ジャーナルモジュールに入力された対応する日時を有する前記ジャーナルデータのリスト、及び（ｉｉｉ）ユーザが前記ジャーナルデータ内で検索するテキストを入力できるようにするか、又は前記ジャーナルデータ内で検索するキーワードをキーワードリストから選択できるようにする検索ボックスを表示するように構成される、請求項３８に記載のシステム。
【請求項４０】
前記複数のデータモジュールは、ユーザ選択に基づいて、テーブル、テキストでの説明、グラフ、又はそれらの組み合わせを含む前記健康情報のうちの少なくともいくらかを外部ファイルにエクスポートするリポートモジュールを含み、前記ユーザは、前記外部ファイルに含める前記健康情報の時間期間及びタイプを選択する、請求項３４に記載のシステム。
【請求項４１】
前記コンピュータシステムは、前記計算装置の表示画面に、前記外部ファイルに含める所定の健康情報を含むリポートフォーマットの選択可能リストを表示するように構成される、請求項４０に記載のシステム。
【発明の詳細な説明】
【技術分野】
【０００１】
関連出願の相互参照
本特許文書は、２０１２年８月１日に出願された「ＡＮＡＬＹＴＥ  ＭＯＮＩＴＯＲＩＮＧ  ＳＹＳＴＥＭＳ」という名称の米国仮特許出願第６１／６７８，５７０号明細書の優先権の利益を主張する。上記特許出願の内容全体は、参照により、本出願の開示の一部として援用される。
【０００２】
本特許文書は、患者が使用するポータブル分析物測定キット向けに設計される分析物監視システムを含む分析物監視技術に関する。
【背景技術】
【０００３】
分析物テスト及び監視装置は、現代の健康関連問題の診断と管理において重要な役割を果たしている。分析物又は成分（臨床化学におけるもの）は、分析手順で関心が持たれる物質又は化学成分である。例えば、ヒトの血液、尿、及び／又は唾液の試料を、血糖値、フルクトサミン、ヘマトクリット値、ヘモグロビン酸素飽和度、乳酸塩、鉄、ｐＨ、コレステロール、肝臓酵素（例えば、アスパラギン酸アミノトランスフェラーゼ（ＡＳＴ）、アラニンアミノトランスフェラーゼ（ＡＬＴ）、アルカリホスファターゼ（ＡＬＰ）／ガンマグルタミルトランスフェラーゼ（ＧＧＴ）、乳酸脱水素酵素（ＬＤＨ）、ビリルビン等）、ホルモン、及び／又は他の化合物についてテストすることができる。
【発明の概要】
【課題を解決するための手段】
【０００４】
分析物監視システムのユーザインタフェースを実装する技法、システム、及び装置が開示される。
【０００５】
一態様では、計算装置上で患者情報を提示する方法は、ウェブポータルを動作させる通信ネットワーク内のコンピュータ又はコンピュータシステムの１つ又は複数のコンピュータプロセッサを使用して、患者の健康情報を処理することであって、健康情報は、分析物測定装置から測定された患者の分析物レベル及び健康関連因子を含む、処理することと、処理された健康情報の少なくともいくらかをユーザの計算装置上で提示し、ユーザが対話できるようにする、ウェブポータルに基づくインタラクティブユーザインタフェースを提供することであって、インタラクティブユーザインタフェースは、処理された健康情報を編成する複数のデータモジュールを含む、提供することとを含む。データモジュールは、測定された分析物レベルの最近の測定値及び履歴のうちの一方又は両方を提供する分析物レベルモジュールと、薬剤名又は識別子、服用された薬剤のタイプ、服用の日時、及び服用された投与量のうちの少なくとも１つを含む、患者が服用する１つ又は複数の薬剤の薬剤データを提供する薬剤モジュールと、患者による炭水化物摂取データを提供する栄養モジュールと、ユーザの歩数又はユーザによって行われた運動の持続時間のうちの少なくとも一方を含むフィットネスデータを提供するフィットネスモジュールとを含む。
【０００６】
本方法の実装形態は、任意選択的に、以下の特徴のうちの１つ又は複数を含むことができる。例えば、ユーザは、患者、医療提供者、介護者、健康データ管理者、及び／又は医療費支払者のうちの１つを含むことができる。例えば、ユーザの計算装置は、デスクトップ又はラップトップコンピュータ装置、スマートフォン又はタブレットを含むモバイル通信装置、及び／又は分析物測定装置を含むことができる。例えば、インタラクティブユーザインタフェースは、ユーザが、（１）ユーザ選択の時間スパンに基づいて健康情報のデータ履歴を選択すること、（２）分析物測定装置の設定を個人化すること、（３）データ
モジュール内の健康情報の特定のデータにフラグを付けること、及び／又は（４）データモジュール内の健康情報の特定のデータに関連する質問を提出することを行えるようにすることができる。幾つかの実装形態では、例えば、本方法は、データモジュールのうちの少なくとも１つにおける健康情報に対応する閾値を含む患者目標情報を受信することと、患者目標情報を処理して、対応する健康情報に関して閾値を分析することとを更に含むことができる。例えば、患者目標情報は、複数のデータモジュールの目標モジュール内に編成することができる。幾つかの実装形態では、例えば、本方法は、健康情報のデータ値が、患者目標情報の対応する閾値を超える場合、警告を生成することを含むことができる。本方法の幾つかの実装形態では、例えば、インタラクティブユーザインタフェースを提供することは、計算装置の表示画面に、（ｉ）データモジュールのそれぞれの概要健康情報、（ｉｉ）データモジュールのうちの１つ又は複数からの健康情報のグラフィック分析、及び／又は（ｉｉｉ）グラフィック分析として表示する健康情報を選択するための、データモジュールに対応する選択ボタンを表示することを含むことができる。例えば、表示されるグラフィック分析は、ユーザがテキスト、画像、又はオーディオデータのうちの少なくとも１つを追加できるようにするユーザインタラクティブタグを含むことができる。例えば、薬剤モジュールの薬剤データは、患者による１つ又は複数の薬剤の服用についての指示を含むことができる。本方法の幾つかの実装形態では、例えば、健康情報を取得することは、歩数を記録する分析物測定装置の歩数計ユニットによって取得される歩数データを収集することを含むことができ、例えば、収集された歩数データはフットネスモジュール内に編成される。幾つかの実装形態では、例えば、複数のデータモジュールは、テキスト、画像、又はオーディオデータを含むユーザ入力データ及び計算装置の表示画面に表示されるインタラクティブユーザインタフェースのスナップショット画像のうちの一方又は両方を含むジャーナルデータを提供するジャーナルモジュールを含むことができる。例えば、インタラクティブユーザインタフェースを提供することは、計算装置の表示画面に、（ｉ）ユーザがユーザ入力データのテキストを入力できるようにするダイアログボックス、（ｉｉ）ジャーナルデータがジャーナルモジュールに入力された対応する日時を有するジャーナルデータのリスト、及び／及び（ｉｉｉ）ユーザがジャーナルデータ内で検索するテキストを入力できるようにする検索ボックスを表示することを含むことができる。幾つかの実装形態では、例えば、複数のデータモジュールは、ユーザ選択に基づいて、テーブル、テキストでの説明、グラフ、又はそれらの組み合わせを含む健康情報のうちの少なくともいくらかを外部ファイルにエクスポートするリポートモジュールを含むことができ、ユーザは、外部ファイルに含める健康情報の時間期間及びタイプを選択する。
【０００７】
本方法の実装形態は、任意選択的に、以下の特徴のうちの１つ又は複数を含むこともできる。例えば、測定される分析物レベルは血糖値を含むことができ、１つ又は複数の薬剤はインスリンを含む。本方法の幾つかの実装形態では、例えば、健康情報を処理することは、健康情報を分析して、実測血糖値とその変動レベルとの相関及び実測血糖値と、炭水化物消費、注入されたインスリン量、患者が服用する非インスリン薬剤、運動量、ストレスの発現、又は疾患の発現のうちの１つ又は複数を含む健康関連因子との相関を特定することを含むことができる。例えば、幾つかの実装形態では、本方法は、相関を処理して、特定のデータ値（例えば、血糖値）が所定の閾値を超える場合、警告を生成することを更に含むことができる。例えば、警告は、テキストメッセージ、電話呼、電子メール、及び／又は計算装置又は分析物測定装置のアプリケーションでの視覚的メッセージ又はオーディオアラームの形態であることができる。例えば、幾つかの実装形態では、本方法は、相関を処理して、事象が予期されるときに発生しない場合、警告を生成することを更に含むことができる。例えば、幾つかの実装形態では、本方法は、分析物測定装置内の消耗品構成要素の量を監視することを更に含むことができる。例えば、幾つかの実装形態では、本方法は、消耗品構成要素の量が所定の最小閾値に達するときを特定することと、その量に基づいてある数量の消耗品構成要素を注文することとを更に含むことができ、注文することは、分析物測定装置、ウェブポータルを動作させるコンピュータ又はコンピュータシス
テム、又はウェブポータルと通信するアプリケーションを操作するモバイルコンピュータ装置によって実行される。例えば、幾つかの実装形態では、本方法は、分析物測定装置が異なるタイムゾーンに入るときを認識することと、異なるタイムゾーンに基づいて、プログラムされた警告及び時間スタンプ情報を更新することとを更に含むことができる。例えば、幾つかの実装形態では、本方法は、ウェブポータルのデータのデータ更新を分析物測定装置に送信することを更に含むことができ、データ更新は、処方情報、食事情報、患者目標情報、又はユーザ設定若しくはプロフィール情報のうちの少なくとも１つを含む。幾つかの実装形態では、例えば、インタラクティブユーザインタフェースは、患者の健康情報を管理するために患者がアクセスする患者アクセス可能インタフェースと、患者及び１人又は複数の他の患者の健康情報を管理するために医療提供者又は介護者がアクセスする介護者アクセス可能インタフェースとを含むことができる。例えば、インタラクティブユーザインタフェースは、グラフィカルオーディオ統合ユーザインタフェースであることができる。
【０００８】
別の態様では、コードを記憶したコンピュータ可読記憶媒体を備えるコンピュータプログラム製品が開示され、コードは、実行されると、通信ネットワーク内のコンピュータ又はコンピュータシステムのプロセッサに、ウェブポータルを介してユーザ装置上で患者情報を提示する方法を実施させる。コンピュータプログラム製品は、実装されると、コンピュータ又はコンピュータシステムによって動作して、分析物測定装置から測定される分析物レベル及び健康関連因子を含む患者の健康情報を処理することであって、健康情報は、通信リンクを介して通信ネットワーク内のコンピュータ又はコンピュータシステムによって取得される、処理することと、処理された健康情報の少なくともいくらかをユーザによって操作される計算装置上で提示し、ユーザが対話できるようにする、ウェブポータルに基づくインタラクティブユーザインタフェースを提供することであって、インタラクティブユーザインタフェースは、処理された健康情報を編成する複数のデータモジュールを含む、提供することとを実行させる。データモジュールは、測定された分析物レベルの最近の測定値及び履歴のうちの一方又は両方を提供する分析物レベルモジュールと、薬剤名又は識別子、服用された薬剤のタイプ、服用の日時、及び服用された投与量のうちの少なくとも１つを含む、患者が服用する１つ又は複数の薬剤の薬剤データを提供する薬剤モジュールと、患者による炭水化物摂取データを提供する栄養モジュールと、ユーザの歩数又はユーザによって行われた運動の持続時間のうちの少なくとも一方を含むフィットネスデータを提供するフィットネスモジュールとを含む。コンピュータプログラム製品の幾つかの実装形態では、コンピュータプログラム製品は、実装されると、コンピュータ又はコンピュータシステムによって動作して、計算装置の表示画面に、（ｉ）データモジュールのそれぞれの概要健康情報、（ｉｉ）データモジュールのうちの１つ又は複数からの健康情報のグラフィック分析、（ｉｉｉ）グラフィック分析の近傍に提示される時間タグ付きデータとして、テキスト、画像、又はオーディオデータのうちの少なくとも１つをユーザが追加できるようにする、データモジュールに対応するタグの選択リスト、及び（ｉｖ）グラフィック分析として表示する健康情報を選択するための、データモジュールに対応する選択ボタンを表示させる。
【０００９】
別の態様では、健康管理システムは、分析物の濃度レベルを測定する分析物監視装置と、分析物監視装置と通信する計算システムとを含む。計算システムは、メモリユニットと、測定された分析物濃度レベル及び健康関連因子を含む患者の健康情報を含むデータを処理するように構成されるプロセッサとを含む。計算システムは、処理された健康情報のうちの少なくともいくらかをユーザの計算装置上で提示し、ユーザが対話できるようにするインタラクティブユーザインタフェースを提供するように構成され、インタラクティブユーザインタフェースは、処理された健康情報を編成する複数のデータモジュールを含み、データモジュールは、測定された分析物レベルの最近の測定値及び履歴のうちの一方又は両方を提供する分析物レベルモジュールと、薬剤名又は識別子、服用された薬剤のタイプ
、服用の日時、及び服用された投与量のうちの少なくとも１つを含む、患者が服用する１つ又は複数の薬剤の薬剤データを提供する薬剤モジュールと、患者による炭水化物摂取データを提供する栄養モジュールと、ユーザの歩数又はユーザによって行われた運動の持続時間のうちの少なくとも一方を含むフィットネスデータを提供するフィットネスモジュールとを含む。
【００１０】
本特許文書に記載の主題は、特に、以下の特徴のうちの１つ又は複数を提供する特定の方法で実施することができる。例えば、開示される実施形態は、グルコース監視及びインスリン処置システムを含むことができ、このシステムは、グルコース測定器（例えば、グルコメータ）装置を含み、グルコース測定器は、小型でオールインワン（例えば、穿刺針／ストリップ／メーター）構造を有するように構成することができ、カセットベースであることができ、ウェブベースの追跡サービスを含むことができ、システムのユーザ対話及び使用を改善するようにシームレスに統合された無線通信装置及び構成要素を含むことができる。例えば、グルコース監視及びインスリン処置システムは、公の場で個々に利用可能な装置を含む。開示される実施形態は、例えば、患者（例えば、糖尿病者）、医療提供者及び／又は介護者（例えば、医師、看護師、医療助手、又は家族）、健康データ管理者、並びに支払者（例えば、医療保険会社）を含む様々なユーザのそれぞれがアクセスして、情報の共有に役立つとともに、ケアの品質を改善することができるユーザインタフェースを含む。例えば、開示される実施形態の分析物監視ユーザインタフェースは、ユーザが、患者の体液（例えば、血液、唾液、又は尿）で見つけられる分析物質のレベルの個々のパターン及び変化を識別できるようにするとともに、例えば、投薬のタイミング及び投与量、食事プラン、身体活動、又は他の介入等のとるべき処置について、分析物レベルに基づいてユーザ（例えば、患者、介護者、医師等）をガイドする（例えば、ガイダンスをサポートする関連情報／テストデータを提供する）ことができる。
【図面の簡単な説明】
【００１１】
【図１】従来の監視技法、装置、及びシステムを使用してヒトの血液内の分析物レベルを監視する例示的なマルチステッププロセスの図を示す。
【図２Ａ】ユーザの血液内の少なくとも１つの分析物レベルを監視する、開示される実施形態の例示的な分析物測定装置の図を示す。
【図２Ｂ】血中の分析物レベルを監視する図２Ａに示される例示的な分析物測定装置を実装する例示的なプロセスの図を示す。
【図３Ａ】ウェブポータルを動作させるモバイル装置及びコンピュータ装置と通信する例示的な分析物測定装置の図を示す。
【図３Ｂ】分析物レベルを監視するとともに、健康情報を管理するためのユーザインタフェースを含む図３Ａの例示的な分析物測定装置の図を示す。
【図３Ｃ】分析物レベルを監視するとともに、健康情報を管理するためのユーザインタフェースを含む図３Ａの例示的なモバイル装置の図を示す。
【図３Ｄ】分析物レベルを監視するとともに、健康情報を管理するためのユーザインタフェースを含む図３Ａの例示的なコンピュータ装置の図を示す。
【図３Ｅ】図３Ｄのコンピュータ装置の表示画面に示される例示的なユーザインタフェースの例示的なログインページを示す。
【図４】例示的なグルコース監視プロセスの指示ステップを示す例示的な分析物測定器の表示画面の例示的なユーザインタフェースの図を示す。
【図５】メインメニューインタフェースを示す分析物測定器の表示画面上の例示的なユーザインタフェースの図を示す。
【図６】ユーザが健康情報を管理するための機能的インタラクティブインタフェースを示す例示的なインタラクティブユーザインタフェースを示す。
【図７Ａ】例示的なインタラクティブユーザインタフェースの例示的なアカウントセットアップ及び管理モジュールの例示的な表示画面を示す。
【図７Ｂ】例示的なインタラクティブユーザインタフェースの例示的なアカウントセットアップ及び管理モジュールの例示的な表示画面を示す。
【図７Ｃ】例示的なインタラクティブユーザインタフェースの例示的なアカウントセットアップ及び管理モジュールの例示的な表示画面を示す。
【図７Ｄ】例示的なインタラクティブユーザインタフェースの例示的なアカウントセットアップ及び管理モジュールの例示的な表示画面を示す。
【図７Ｅ】例示的なインタラクティブユーザインタフェースの例示的なアカウントセットアップ及び管理モジュールの例示的な表示画面を示す。
【図７Ｆ】例示的なインタラクティブユーザインタフェースの例示的なアカウントセットアップ及び管理モジュールの例示的な表示画面を示す。
【図７Ｇ】例示的なインタラクティブユーザインタフェースの例示的なアカウントセットアップ及び管理モジュールの例示的な表示画面を示す。
【図７Ｈ】例示的なインタラクティブユーザインタフェースの例示的なアカウントセットアップ及び管理モジュールの例示的な表示画面を示す。
【図７Ｉ】例示的なインタラクティブユーザインタフェースの例示的なアカウントセットアップ及び管理モジュールの例示的な表示画面を示す。
【図７Ｊ】例示的なインタラクティブユーザインタフェースの例示的なアカウントセットアップ及び管理モジュールの例示的な表示画面を示す。
【図８Ａ】例示的なインタラクティブユーザインタフェースの例示的な患者リストモジュールの例示的な表示画面を示す。
【図８Ｂ】例示的なインタラクティブユーザインタフェースの例示的な患者リストモジュールの例示的な表示画面を示す。
【図９Ａ】例示的なインタラクティブユーザインタフェースの例示的な測定分析物レベルモジュールの例示的な表示画面を示す。
【図９Ｂ】例示的なインタラクティブユーザインタフェースの例示的な測定分析物レベルモジュールの例示的な表示画面を示す。
【図９Ｃ】例示的なインタラクティブユーザインタフェースの例示的な測定分析物レベルモジュールの例示的な表示画面を示す。
【図９Ｄ】例示的なインタラクティブユーザインタフェースの例示的な測定分析物レベルモジュールの例示的な表示画面を示す。
【図９Ｅ】例示的なインタラクティブユーザインタフェースの例示的な測定分析物レベルモジュールの例示的な表示画面を示す。
【図１０Ａ】例示的なインタラクティブユーザインタフェースの例示的な投薬モジュールの例示的な表示画面を示す。
【図１０Ｂ】例示的なインタラクティブユーザインタフェースの例示的な投薬モジュールの例示的な表示画面を示す。
【図１０Ｃ】例示的なインタラクティブユーザインタフェースの例示的な投薬モジュールの例示的な表示画面を示す。
【図１０Ｄ】例示的なインタラクティブユーザインタフェースの例示的な投薬モジュールの例示的な表示画面を示す。
【図１０Ｅ】例示的なインタラクティブユーザインタフェースの例示的な投薬モジュールの例示的な表示画面を示す。
【図１１Ａ】例示的なインタラクティブユーザインタフェースの例示的な栄養モジュールの例示的な表示画面を示す。
【図１１Ｂ】例示的なインタラクティブユーザインタフェースの例示的な栄養モジュールの例示的な表示画面を示す。
【図１２Ａ】例示的なインタラクティブユーザインタフェースの例示的なフィットネスモジュールの例示的な表示画面を示す。
【図１２Ｂ】例示的なインタラクティブユーザインタフェースの例示的なフィットネスモジュールの例示的な表示画面を示す。
【図１２Ｃ】例示的なインタラクティブユーザインタフェースの例示的なフィットネスモジュールの例示的な表示画面を示す。
【図１２Ｄ】例示的なインタラクティブユーザインタフェースの例示的なフィットネスモジュールの例示的な表示画面を示す。
【図１２Ｅ】例示的なインタラクティブユーザインタフェースの例示的なフィットネスモジュールの例示的な表示画面を示す。
【図１３Ａ】例示的なインタラクティブユーザインタフェースの例示的な目標モジュールの例示的な表示画面を示す。
【図１３Ｂ】例示的なインタラクティブユーザインタフェースの例示的な目標モジュールの例示的な表示画面を示す。
【図１３Ｃ】例示的なインタラクティブユーザインタフェースの例示的な目標モジュールの例示的な表示画面を示す。
【図１３Ｄ】例示的なインタラクティブユーザインタフェースの例示的な目標モジュールの例示的な表示画面を示す。
【図１４Ａ】例示的なインタラクティブユーザインタフェースの例示的なジャーナルモジュールの例示的な表示画面を示す。
【図１４Ｂ】例示的なインタラクティブユーザインタフェースの例示的なジャーナルモジュールの例示的な表示画面を示す。
【図１５Ａ】例示的なインタラクティブユーザインタフェースの例示的なリポートモジュールの例示的な表示画面を示す。
【図１５Ｂ】例示的なインタラクティブユーザインタフェースの例示的なリポートモジュールの例示的な表示画面を示す。
【図１５Ｃ】例示的なインタラクティブユーザインタフェースの例示的なリポートモジュールの例示的な表示画面を示す。
【図１５Ｄ】例示的なインタラクティブユーザインタフェースの例示的なリポートモジュールの例示的な表示画面を示す。
【図１５Ｅ】例示的なインタラクティブユーザインタフェースの例示的なリポートモジュールの例示的な表示画面を示す。
【図１５Ｆ】例示的なインタラクティブユーザインタフェースの例示的なリポートモジュールの例示的な表示画面を示す。
【図１５Ｇ】例示的なインタラクティブユーザインタフェースの例示的なリポートモジュールの例示的な表示画面を示す。
【図１５Ｈ】例示的なインタラクティブユーザインタフェースの例示的なリポートモジュールの例示的な表示画面を示す。
【図１６Ａ】例示的なインタラクティブユーザインタフェースの例示的な測定器インタフェースモジュールの例示的な表示画面を示す。
【図１６Ｂ】例示的なインタラクティブユーザインタフェースの例示的な測定器インタフェースモジュールの例示的な表示画面を示す。
【図１６Ｃ】例示的なインタラクティブユーザインタフェースの例示的な測定器インタフェースモジュールの例示的な表示画面を示す。
【図１６Ｄ】例示的なインタラクティブユーザインタフェースの例示的な測定器インタフェースモジュールの例示的な表示画面を示す。
【図１６Ｅ】例示的なインタラクティブユーザインタフェースの例示的な測定器インタフェースモジュールの例示的な表示画面を示す。
【図１６Ｆ】例示的なインタラクティブユーザインタフェースの例示的な測定器インタフェースモジュールの例示的な表示画面を示す。
【図１７Ａ】例示的なインタラクティブユーザインタフェースの例示的な患者情報モジュールの例示的な表示画面を示す。
【図１７Ｂ】例示的なインタラクティブユーザインタフェースの例示的な患者情報モジュールの例示的な表示画面を示す。
【図１７Ｃ】例示的なインタラクティブユーザインタフェースの例示的な患者情報モジュールの例示的な表示画面を示す。
【図１７Ｄ】例示的なインタラクティブユーザインタフェースの例示的な患者情報モジュールの例示的な表示画面を示す。
【図１８】例示的なインタラクティブユーザインタフェースの例示的なヘルプモジュールの例示的な表示画面を示す。
【図１９Ａ】例示的なインタラクティブユーザインタフェースの例示的なアカウント及び課金情報モジュールの例示的な表示画面を示す。
【図１９Ｂ】例示的なインタラクティブユーザインタフェースの例示的なアカウント及び課金情報モジュールの例示的な表示画面を示す。
【図２０Ａ】開示されるインタラクティブユーザインタフェースをモバイル装置で実装する例示的なモバイルソフトウェア用途の例示的な表示画面を示す。
【図２０Ｂ】開示されるインタラクティブユーザインタフェースをモバイル装置で実装する例示的なモバイルソフトウェア用途の例示的な表示画面を示す。
【図２１Ａ】モバイル装置で実装される例示的なインタラクティブユーザインタフェースの表示画面例を示す。
【図２１Ｂ】モバイル装置で実装される例示的なインタラクティブユーザインタフェースの表示画面例を示す。
【図２１Ｃ】モバイル装置で実装される例示的なインタラクティブユーザインタフェースの表示画面例を示す。
【図２１Ｄ】モバイル装置で実装される例示的なインタラクティブユーザインタフェースの表示画面例を示す。
【図２１Ｅ】モバイル装置で実装される例示的なインタラクティブユーザインタフェースの表示画面例を示す。
【図２１Ｆ】モバイル装置で実装される例示的なインタラクティブユーザインタフェースの表示画面例を示す。
【図２１Ｇ】モバイル装置で実装される例示的なインタラクティブユーザインタフェースの表示画面例を示す。
【図２１Ｈ】モバイル装置で実装される例示的なインタラクティブユーザインタフェースの表示画面例を示す。
【図２１Ｉ】モバイル装置で実装される例示的なインタラクティブユーザインタフェースの表示画面例を示す。
【図２１Ｊ】モバイル装置で実装される例示的なインタラクティブユーザインタフェースの表示画面例を示す。
【図２２Ａ】装置の内部構成要素の幾つかを示す例示的な分析物測定装置の概略図を示す。
【図２２Ｂ】装置の内部構成要素の幾つかを示す例示的な分析物測定装置の概略図を示す。
【図２２Ｃ】装置の内部構成要素の幾つかを示す例示的な分析物測定装置の概略図を示す。
【図２３Ａ】分析物監視システムの例示的なソフトウェアブロック図を示す。
【図２３Ｂ】分析物監視システムの例示的なソフトウェアブロック図を示す。
【図２４】分析物テストレベルデータ、薬剤、栄養、活動、及び他の健康関連情報を提示するインタラクティブユーザインタフェースを提供する例示的な方法のプロセス図を示す。
【発明を実施するための形態】
【００１２】
様々な図面での同様の参照符号及び名称は同様の要素を示す。更に、図に示される例示的なグラフ及び画像の幾つかでは、示されるデータは、実際のデータ点を表さず、むしろ、開示される実施形態の様々な機能及び動作を示すために提供されている。
【００１３】
本特許文書に記載される装置、システム、及び技術は、血液試料中のグルコース濃度等の分析物の特性を測定するために実装することができる。今日の市場での様々なグルコース測定器及び穿刺装置は、複数の装置、構成要素、及びサプライを含む傾向を有し、多くの場合、血糖値の監視に多くのステップを要する。そのような装置が、臨床設定又は病院外部で患者が使用するように設計される場合、装置を操作し、測定を実行する際の複雑性により、患者の操作エラー及び誤ったデータに繋がり得るとともに、患者のフラストレーションを生じさせ、そのような装置の日常的な使用を嫌がるようになり得る。例えば、幾つかのグルコース監視システムは、テストストリップを読み取り、穿刺針を準備し、穿刺針を使用し、血液をテストストリップに置いてテストストリップをグルコース測定器内に挿入し、データを測定器から読み取り、データをジャーナルに記録し、次回の来院時にジャーナルを携帯することを覚えておき、次に、ストリップ及び穿刺針のパッケージを片付け、外された構成要素を廃棄し、グルコース測定器をしまうことを含む多くのステップを必要とし得る。したがって、ステップを減らし、装置を統合し、例えば、血糖値等の分析物を監視するユーザインタフェースを簡素化することが、患者、介護者、及び支払者にとって有益である。
【００１４】
患者にとって使用が容易且つ好都合であり、日常的な測定の実行における患者のコンプライアンスを改善し、患者への健康リスクを低減し、患者の厚生を改善する分析物監視システムのユーザインタフェースを実装する技法、システム、及び装置が開示される。
【００１５】
一態様では、開示される分析物監視ユーザインタフェースは、ユーザが、患者の体液（例えば、血液、唾液、又は尿）で見つけられる分析物質のレベルの個々のパターン及び変化を識別できるようにするとともに、データを提示し、且つ／又は分析物レベルに基づいて、とるべき処置についてユーザ（例えば、患者、介護者、医師等）をガイドすることができる。例えば、これらの処置は、投薬のタイミング及び投与量、食事プラン、物理的な行動、又は他の介入に基づくことができるか、又はこれらを含むことができる。
【００１６】
開示される実施形態は、基本概念の理解を促すために、本明細書では主にグルコース監視に基づいて説明されるが、開示される実施形態が、フルクトサミン、ヘマトクリット値、ヘモグロビン血液酸素飽和度、乳酸塩、鉄、ｐＨ、コレステロール、肝臓酵素（例えば、ＡＳＴ、ＡＬＴ、ＡＬＰ／ＧＧＴ、ＬＤＨ、ビリルビン等）、ホルモン、及び他の化合物を含むが、これらに限定されない他の分析物の監視を含むことも可能なことが理解される。例えば、開示される実施形態の分析監視技法を使用して、他の生分子物質を監視することもでき、他の生分子物質としては、生物材料及びバイオマーカの中でも特に、核酸、脂質、炭水化物、ペプチド、タンパク質、酵素、ホルモン、抗体、糖タンパク質、糖脂質、細胞小器官、内毒素、及びウィルスが挙げられるが、これらに限定されない。
【００１７】
開示されるインタラクティブユーザインタフェースは、ソフトウェアで実装され、任意の様々な装置で実行されて、例えば、患者（例えば、糖尿病者）、医療提供者及び／又は介護者（例えば、医師、看護師、医師若しくは看護師の助手、又は家族若しくは友人）、健康データ管理者、及び支払者（例えば、医療保険会社）等の１つ又は複数のタイプの様々なユーザによって操作される機能モジュールを含むことができる。例えば、開示されるインタラクティブユーザインタフェースは、有線及び／又は無線通信リンクを介してユーザ装置と通信する通信ネットワーク内のコンピュータシステムによって管理することができる。例えば、分析物を監視するユーザインタフェースを実装する装置のタイプは、ウェブポータルを動作させて、装置と、ユーザデータを記憶するデータベースとの間での情報の共有を促進する分析物測定装置、モバイル装置（例えば、スマートフォン、タブレット、ラップトップコンピュータ等）、及びセミモバイル又は非モバイル装置（例えば、デスクトップ、ラップトップ、又は他のコンピュータシステム等のパーソナルコンピュータ（
ＰＣ））を含むことができる。例えば、ウェブポータルは、ウェブブラウザ又はソフトウェアアプリケーションを介して計算装置で実装することができる。例えば、ウェブポータルは、モバイル装置で実装することもできる。最も単純な形態では、そのような装置は、少なくとも１つのプロセッサ（例えば、マイクロプロセッサ）と、プロセッサと通信する少なくとも１つのメモリとを含む。メモリは、例えば、プロセッサ実行可能コードを含むことができ、このコードは、プロセッサによって実行されると、情報、コマンド、及び／又はデータの受信、情報及びデータの処理、並びに情報／データの別のエンティティ又はユーザへの送信又は提供等の様々な動作を実行するように、装置を構成する。
【００１８】
本明細書に記載される例示的な実施形態の幾つかは、様々なインタフェースモジュールの例示的な特徴及び機能を示すとともに、ユーザインタフェースを実装することができる装置の対話を示す分析物監視ユーザインタフェースに関する。
【００１９】
図１は、従来の監視技法、装置、及びシステムを使用してヒトの血液内の分析物レベルを監視する例示的なマルチステッププロセスの図を示す。例えば、例示的なマルチステッププロセスは、一監視事例（例えば、１日に２回〜１０回以上実施する必要があり得る）で分析物レベルを監視するために、２０を超えるステップを含む。
【００２０】
図２Ａは、ユーザの血液内の少なくとも１つの分析物レベルを監視する、開示される実施形態の例示的な分析物測定装置の図を示す。本技術の分析物測定装置の幾つかの例は、２０１２年１１月２９日に出願された「ＡＮＡＬＹＴＥ  ＴＥＳＴＩＮＧ  ＤＥＶＩＣＥＳ」という名称の米国特許出願第１３／６８９，６１８号明細書に開示されており、この米国特許出願を参照により本特許文書での開示の一部として全体的に援用する。図２Ａの例では、例示的な分析物測定装置は、穿刺針カートリッジを格納する区画と、分析物センサカートリッジを格納する区画とを含む。分析物センサカートリッジは、グルコース等の特定の分析物に接触して検知する分析物センサをそれぞれ有するテストユニットを含む。穿刺針カートリッジは、複数の穿刺針を格納して、分析物テスト中、装置の穴から穿刺針を突出させる。例示的な分析物測定装置は、分析物センサカートリッジ内の分析物センサに通信可能に結合された変換電子装置を収容するための電子装置区画を含む。変換電子装置は、分析物センサからの信号を測定分析物レベルデータ（例えば、血糖値）に変換するように構成される。変換電子装置は、測定装置によって測定された分析物テスト結果（例えば、最近のテスト結果及びテスト履歴を含む）と、例えば、使用された／残っているサプライ（例えば、テストストリップ及び穿刺針を含む）、ユーザの推定歩数及び／又はユーザが燃焼したカロリー、投与された薬剤（例えば、インスリンを含む）の時刻／日付、履歴、装置設定、アラーム、並びにジャーナルエントリ及びメモ（例えば、音声／オーディオメモ、テキストメモ、又は画像メモを含む）を含むが、これらに限定されない分析物の監視に有用な他のデータとの表示に使用可能なＬＣＤディスプレイなど、表示するように構成される。分析物の監視に有用な分析物テスト結果及び他のデータのデータ処理は、処理及び記憶に関してコンピュータ又はコンピュータシステムにオフロードすることができる。
【００２１】
図２Ｂは、血中の分析物レベルを監視する図２Ａに示される例示的な分析物測定装置を使用する例示的なプロセスの図を示す。例えば、プロセスは、一監視事例では、分析物レベルの監視に５つのステップを含む。例えば、分析物測定装置は、装置を開始し、装置の穿刺針をうち（そして穿刺針を用いてユーザの血液を引き出し）、指を装置の分析物テストストリップ上に置き、テストストリップを取り出し、結果を読み取ることによって実施することができる。結果は、コンピュータシステムのデータベース、例えば、通信ネットワーク（例えば、「クラウド」と呼ばれることもある）内の、ウェブポータルを動作させることが可能なコンピュータシステムに格納されたデータ記憶媒体を含むデータベースにアップロードすることができる。幾つかの例では、アップロードは、装置によって自動的
に実行することができる。図１の従来の方法論でのステップ数（すなわち、２０）と、図２Ａの例示的な実施形態に関連するステップ数（例えば、５）とを比較することで、本明細書に記載される様々な実施形態の使用しやすさ及び便利さを理解することができる。
【００２２】
図３Ａは、開示されるユーザインタフェースを含むモバイルアプリケーションを操作するモバイル装置３０２（例えば、スマートフォン、タブレット、ラップトップコンピュータ等）及び開示されるユーザインタフェースを含むウェブポータルを動作させるコンピュータ装置３０３と通信する、開示される実施形態の例示的な分析物測定装置３０１の図を示す。例えば、コンピュータ装置３０３は、デスクトップ、ラップトップ、又は他のコンピュータ等のパーソナルコンピュータ（ＰＣ）であることができ、それと同様に、スマートフォン、タブレット、又は他のウェブポータル媒体であることができる。例えば、ウェブポータルは、例えば、モバイルアプリケーション又はウェブブラウザアプリケーションを通してモバイル装置３０２で実装することもできる。例えば、例示的な分析物測定装置３０１、モバイル装置３０２、及びウェブポータルを動作させるコンピュータ装置３０３は、有線又は無線の通信を通して通信することができる。無線通信の幾つかの例としては、３Ｇ無線通信規格、ＬＴＥ、ＷｉＦｉ（登録商標）、Ｂｌｕｅｔｏｏｔｈ（登録商標）を含む４Ｇ無線通信規格、並びに無線周波数波及び他の電磁波を介する他の適する無線通信が挙げられる。
【００２３】
分析物測定装置３０１、モバイル装置３０２、及びコンピュータ装置３０３は、閉ループ健康管理システムの一部として含むことができる。幾つかの例では、健康管理システムは、分析物監視装置３０１又は計算システム３０３のうちの少なくとも一方と通信する薬剤注入装置を更に含むことができる。薬剤注入装置の幾つかの例が、「ＰＯＲＴＡＢＬＥ
ＭＥＤＩＣＩＮＥ  ＩＮＪＥＣＴＩＯＮ  ＤＥＶＩＣＥ  ＡＮＤ  ＡＮＡＬＹＴＥ  ＭＥＴＥＲＩＮＧ  ＳＹＳＴＥＭ」という名称のカナダ国特許出願公開第ＣＡ２８０８７３８Ａ１号明細書に開示されており、この特許出願全体を参照により本特許文書での開示の一部として援用する。
【００２４】
図３Ｂは、ユーザがクラウド内のデータベースと情報の送受信を行えるようにする、分析物レベル監視及び健康情報管理のためのインタラクティブユーザインタフェースを含む分析物測定装置３０１の図を示す。図３Ｂに示されるように、分析物測定装置３０１は表示画面３１１を含み、表示画面３１１は、開示される実施形態の記載されるユーザインタフェースの少なくとも一部に役立つことができる。例えば、分析物測定装置３０１は、記載されるインタラクティブユーザインタフェースの一部として、１つ又は複数のオーディオスピーカ及びマイクロホンを含むこともできる。
【００２５】
図３Ｃは、ユーザがクラウド内のデータベースと情報の送受信を行えるようにする、分析物レベル監視及び健康情報管理のためのインタラクティブユーザインタフェースを含むウェブポータルを動作させるモバイル装置３０２の図を示す。例えば、幾つかの実施形態では、モバイル装置３０２は、モバイル装置３０２に記憶され、無線通信リンクを介してデータベースと対話するように構成されるソフトウェアアプリケーションとしてモバイルアプリケーションを使用して、インタラクティブユーザインタフェースを実装することができる。例えば、例示的なモバイルソフトウェアアプリケーションは、他の実施形態で開示される記載のユーザインタフェース（例えば、ウェブポータル等）の機能の全て又は少なくとも幾つかを含むことができる。また、例えば、幾つかの実施形態では、インタラクティブユーザインタフェースは、ウェブポータルを通して（例えば、ウェブブラウザアプリケーションを介して）モバイル装置３０２に提示することができる。図３Ｃに示されるように、モバイル装置３０２は、開示される実施形態の記載のユーザインタフェースの少なくとも一部に役立つことができる表示画面３１２を含む。例えば、モバイル装置３０２は、記載のユーザインタフェースの一部として、１つ又は複数のオーディオスピーカ及び
マイクロホンを含むこともできる。
【００２６】
図３Ｄは、例えば、ウェブポータルを介して、ユーザがクラウド内のデータベースと情報の送受信を行えるようにする、分析物レベル監視及び健康情報管理のためのインタラクティブユーザインタフェースを含むウェブポータルを動作させるコンピュータ装置３０３の図を示す。図３Ｄに示されるように、コンピュータ装置３０３は、開示される実施形態の記載のユーザインタフェースの少なくとも一部に役立つことができる表示画面３１３を含む。例えば、コンピュータ装置３０３は、記載のユーザインタフェースの一部として１つ又は複数のオーディオスピーカ及びマイクロホンを含むこともできる。図３Ｅは、図３Ｄの表示画面３１３に示される例示的なユーザインタフェースの例示的なログインページを示す。
【００２７】
開示されるインタラクティブユーザインタフェースは、分析物測定装置３０１と、モバイル装置３０２と、コンピュータ装置３０３とを含む計算装置で実装され、処理された健康情報の少なくともいくらかをユーザの計算装置に提示して、ユーザの対話を可能にすることができる。インタラクティブユーザインタフェースは、テキスト及び画像をユーザに表示し、ユーザから入力されたテキスト及び画像を受信し、オーディオサウンドをユーザに対して生成し、発話データ及び他の可聴データをユーザから受信することができるグラフィカルオーディオ統合ユーザインタフェースであることができる。
【００２８】
図４は、装置３０１を使用して分析物テストを能動的に実行することにより、ユーザの血液中の分析物レベル（例えば、血糖値）を監視する例示的なプロセスの指示ステップ及びリアルタイム結果を示す、分析物測定装置３０１の表示画面３１１に提示される例示的なユーザインタフェースの図を示す。この例では、例示的なユーザインタフェースは、ユーザに、（１）装置を準備し、（２）作動状態にし／準備し、穿刺針及び分析物テストストリップをうち、ユーザから血液試料を引き出し、（３）血液をテストストリップに移して、分析物レベルテストを実行し、（４）分析物レベルテストの処理中、待ち（例えば、一例では、０．３μＬ（マイクロリットル）試料に対して５秒で実行することができる）、（５）ディスプレイを介して結果（例えば、定量的分析物測定値及び／又は特徴付けられたレベル（例えば、低、目標範囲内、高））を受け取り、（６）テストストリップ及び／又は穿刺針を取り出し、（７）結果をデータベースにアップロードし（例えば、無線通信リンクを介して）、且つ／又はその結果を前に得られた結果の中に表示するように指示する画像及びテキスト情報を提示する。例えば、例示的なユーザインタフェースは、クロック（例えば、日時）と、電池レベル、無線通信送／受信レベル、穿刺針品質レベル、及び／又はテストストリップ品質レベルを含む分析物測定装置３０１の情報とを提示することもでき、例えば、これらはテキスト情報及び／又はグラフィック情報として提示することができる。
【００２９】
図５は、メインメニューインタフェースを示す、分析物測定装置３０１の表示画面３１１に提示される例示的なユーザインタフェースの図を示す。例えば、例示的なメインメニューインタフェース５０１は、選択されたオプションに従って別のインタフェース又は機能を実装することをユーザが選択可能なインタラクティブメニューオプションを示す。例えば、図５に示されるように、例示的なメインメニューインタフェース５０１は、事象インタフェース５０２を含むことができ、例えば、このインタフェースは、測定器又はデータベース（例えば、クラウド内）に記憶されているデータに情報（例えば、テキスト、画像、及び／又はオーディオデータ）をユーザが追加するか、又はタグ付けできるようにするとともに、表示（例えば、グラフィック情報及び／又はテキスト情報）及び再生（例えば、オーディオ情報）のためにタグ付き情報を検索できるようにし得る。例示的なメインメニューインタフェース５０１は、追加の健康情報を装置３０１においてユーザに表示する健康インタフェース５０３を含むことができる。例示的なメインメニューインタフェー
ス５０１は、過去の分析物テストの測定分析物レベルをユーザに表示するテスト履歴インタフェース５０４を含むことができる。例示的なメインメニューインタフェース５０１はリマインダーインタフェース５０５を含むこともでき、このインタフェースは、例えば、ユーザが、分析物監視に関連するリマインダーメモ及び／又は追加の健康情報（例えば、薬剤を服用するか、又は他のタスクを実行するリマインダーを含む）を入力できるようにするとともに、現在及び過去のリマインダーのリストを提示する。例示的なメインメニューインタフェース５０１は設定インタフェース５０６を含むことができ、このインタフェースは、例えば、ユーザが、測定分析物レベル関連する閾値情報及び／又は追加の健康情報（例えば、栄養レベル、歩数等）を入力できるようにするとともに、音量、ディスプレイの輝度等を含む他の装置の設定を調整できるようにする。例示的なメインメニューインタフェース５０１は測定器インタフェース５０７を含むことができる。例示的なメインメニューインタフェース５０１は、私（測定器）についての（Ａｂｏｕｔ  Ｍｅ）インタフェース５０８を含むことができ、このインタフェースは、例えば、ユーザ名、ユーザ識別番号、緊急連絡先の人物及び緊急連絡先番号、ユーザの薬剤及びアレルギー情報、装置登録番号／シリアルナンバー、ソフトウェアバージョン、装置動作パラメータ等を含む、測定装置３０１及び／又はユーザ（登録済みユーザ）についての情報をユーザに提供する。例示的なユーザインタフェースは、統合インタラクティブオーディオインタフェースを含むこともできるインタラクティブグラフィカルユーザインタフェースを提供する。例えば、例示的なユーザインタフェースは、テキスト情報及び画像情報を分析物測定装置３０１の表示画面３１１に表示するために、明るい色及び大きなフォントサイズを含むことができる。幾つかの例では、例示的なユーザインタフェースは、測定器を通してオーディオ情報をユーザに提供するスピーキングインタフェースとして提示することができる。
【００３０】
インタラクティブユーザインタフェースは、処理された健康情報を編成する複数のデータモジュールを含むことができる。例えば、データモジュールは、測定された分析物レベルの最近の測定値及び履歴のうちの一方又は両方を提供する分析物レベルモジュール、薬剤名又は識別子、服用された薬剤のタイプ、服用の日時、及び服用された投与量のうちの少なくとも１つを含む、患者が服用する１つ又は複数の薬剤の薬剤データを提供する薬剤モジュール、患者による炭水化物摂取データ及び他の栄養摂取データを提供する栄養モジュール、及び／又はユーザの歩数又はユーザによって行われた運動の持続時間のうちの少なくとも一方を含むフィットネスデータを提供するフィットネスモジュールを含む。例えば、データモジュールは、任意又は全てのデータモジュール内の健康情報に対応する患者目標及び／又は閾値情報を受信し、患者目標及び／又は閾値情報を処理して提示し、対応する健康情報に関して目標及び閾値を分析する患者目標モジュールを含むこともできる。例えば、データモジュールは、テキスト、画像、及び／又はオーディオデータを含むユーザ入力データ及び／又は計算装置の表示画面に表示されたインタラクティブユーザインタフェースのスナップショット画像を含むジャーナルデータを提供するジャーナルモジュールを含むこともでき、それにより、例えば、ユーザは、特定の日時で発生した事象及び／又は特定の健康情報に関連付けられた検索可能なメモを付すことができる。
【００３１】
図６は、ユーザが健康情報を管理するための機能的インタラクティブインタフェースを示す例示的なユーザインタフェースを示す。例えば、例示的なユーザ健康管理インタフェースは、ウェブポータルを介してコンピュータ装置３０３の表示画面３１３に提示することができ、幾つかの例では、モバイル装置３０２の表示画面３１２に提示することもできる。例えば、例示的な健康情報及び管理インタフェースは、幾つかのインタラクティブ特徴を示し、これらの特徴は、例えば、分析された健康情報を含む情報を表示する。図６の例に示されるように、例示的なユーザ健康管理インタフェースは、最新の測定器データ６０１（例えば、測定分析物レベルの概要データ、薬剤注入、栄養情報、並びに歩数及び運動持続時間を含むフィットネス情報）と、１日ビュー情報６０２（例えば、１日の日平均、最低、及び最高分析物レベル、低、目標、及び高レベル範囲内の計算された割合、及び
より長い期間にわたる平均分析物レベル）と、ユーザ開始タグ及び健康情報詳細６０３（例えば、７：００ＡＭでの薬剤Ｘの１．５μＬの薬剤注入等、日、週等の時間尺度に沿ってグラフィックアイコン及びテキストデータとして提示される）と、ユーザ目標情報６０４（例えば、患者の健康情報をユーザ定義の閾値に相対する目盛りに図で表示する）と、データモジュールの選択可能なカテゴリ６０５（例えば、測定された分析物レベル情報（例えば、グルコース読み取り値）、インスリン／薬剤情報、栄養情報（例えば、炭水化物）、歩数及び運動を含むフィットネス情報、及び目標情報を含むが、これらに限定されない）と、選択可能なデータ履歴情報６０６（例えば、当日、１週間、２週間、１ヶ月等を含む様々な時間尺度にわたるユーザ健康管理インタフェースを選択するため）と、追加のデータモジュールの選択可能なカテゴリ６０７（例えば、患者ジャーナル、患者データリポート、個人化された測定器設定、及び患者情報を含む）と、アカウント設定６０８（例えば、ユーザがフラグ付け／データ記憶／質問設定を調整できるようにするための患者リストへのアクセスなどの、アカウント認可情報の提示）とを提示する。複数のプロット又はリストにわたって分散するデータからそのような様々な情報を単一の表示に含めることにより、ユーザエクスペリエンスを大幅に向上させ、今までは可能ではなかったか、又は容易に認識可能ではなかった機能を提供する。例えば、図６から明らかなように、インタフェースウィンドウの左側に示される実際の血糖値及びその変動が時間尺度で表示され、同じ時間尺度で血糖値の時間表示の下に示される、測定血糖値に相対する健康因子のうちの１つ又は複数に容易に相関付けることができる。特に、血糖値の変動は、炭水化物の消費、インスリンの注入、患者が服用した薬剤、患者の運動スケジュール、患者のストレス、吐き気、及び例えば、テキストデータ及び音声メモを含むタグを通して入力し得る他の因子に相関付けることができる。実際の血糖値及びその変動は、例えば、インタフェースを使用して患者が定義可能な低、目標、及び高の分析物レベル範囲を反映したカラー背景上に表示される。そのような詳細で包括的なピクチャを、適宜選択された粒度で単一の画面に提供することにより、例えば、ユーザは、患者の血糖値への特定の因子（例えば、新しい薬剤、ストレスレベル、運動等）の影響を特定することができる。更に、そのような相関を分析して警告（又はアラーム、又はリマインダー）を設定し、血糖値が限界に達する前にそのような因子の悪影響を予測し、回避し、且つ／又は軽減することができる。幾つかの実施形態では、介護者は、テキストメッセージ、電話呼、電子メール、又は他の通信方法を通して、特定の血糖値変動について警告される。
【００３２】
図７Ａ〜図１９Ｂは、例示的なウェブポータルで実装される開示のユーザインタフェースの表示画面の例を示す。図７Ａ〜図１９Ｂに示される例示的なユーザインタフェースモジュールと同じもの又は変形をモバイル装置で実装することもできる。
【００３３】
開示のインタラクティブユーザインタフェースは、ユーザが、特定の分析物のレベルを監視する患者ユーザについての情報を、例えば、クラウドに記憶可能なデータベースに入力するとともに、情報へのアクセスを管理する設定情報を入力するアカウントセットアップモジュールを含むことができ、例えば、設定情報は、インタフェースを操作する、記載される任意又は全ての装置（例えば、ウェブポータルを動作させる分析物測定装置３０１、モバイル装置３０２、及びコンピュータ装置３０３）の間で、並びに他の患者ユーザの健康情報を監視し、且つ／又は管理する他の患者ユーザ間で共有することができる。
【００３４】
図７Ａ〜図７Ｊは、インタラクティブユーザインタフェースのアカウントセットアップ及び管理モジュールの例示的な表示画面を示す。一実施形態では、図７Ａ及び図７Ｂに示されるように、アカウントセットアップ及び管理モジュールは、例えば、ユーザ名、電子メール、アカウントセキュリティ情報（例えば、パスワード、セキュリティ質問等を含む）、注文システム情報（例えば、穿刺針及び／又はテストストリップ等の装置消耗品を注文する）、課金、出荷、及び支払い情報、並びにユーザ情報の諸条件を含むユーザアカウントの初期セットアップのインタフェースを含むことができる。アカウントセットアップ
及び管理モジュールは、例えば、編集のために初期アカウントセットアップに後にアクセスできるようにし得る。図７Ｃ〜図７Ｆに示されるように、アカウントセットアップ及び管理モジュールは、患者情報、例えば、患者名、性別、生年月日、身長、体重、及び電子メール、及び／又は他の形態の連絡情報の初期セットアップのインタフェースを含むこともできる。更に、患者情報セットアップインタフェースは、ユーザが医療情報を入力できるようにし得、医療情報は、例えば、医療状態、例えば、２型糖尿病及び／又は他の医療状態、例えば、低範囲を８０ｍｇ／ｄＬ以下、高範囲を１４１ｍｇ／ｄＬ以上に設定するなどの測定分析物レベルの目標範囲、使用される薬剤、使用される薬剤の量及び服用頻度、介護者情報、支払者情報、緊急連絡先情報、並びに測定装置表示設定を含むが、これらに限定されない。例えば、図７Ｅ及び図７Ｆに示されるように、アカウントセットアップ及び管理モジュールは、アカウントセットアップ中に得られた患者情報を患者の分析物測定装置に表示することができる「私について（Ａｂｏｕｔ  Ｍｅ）」測定器表示機能を含み、例えば、患者情報は、例えば、患者の健康状態（例えば、糖尿病の型）、氏名、年齢、緊急連絡先の人物及び連絡先情報、医師名及び連絡先情報、使用される薬剤（例えば、インスリン及び／又は他の薬剤のタイプ）、薬剤へのアレルギー等の重要情報を患者ユーザが伝達することができない場合、緊急事態時に分析物測定装置に表示するために利用可能であり得る。アカウントセットアップ及び管理モジュールは、「私について（Ａｂｏｕｔ  Ｍｅ）」測定器表示での入力情報の表示を制限するか、又は表示を許可しないプライバシー制御を含むこともできる。図７Ｇに示されるように、アカウントセットアップ及び管理モジュールは、分析物測定装置を自動的に初期セットアップする（例えば、健康情報のデータベースと測定装置とを同期させる）インタフェースを含むこともできる。アカウントセットアップ及び管理モジュールは、ユーザが、決定された程度まで患者の健康情報を入力し、アクセスし、管理できるようにし、患者は、例えば、ユーザ（患者ユーザ）及び他の患者を含むことができ、他の患者は、例えば、患者ユーザの場合には親戚若しくは友人であることができ、又は介護者ユーザの場合には患者グループであることができる。図７Ｈ〜図７Ｊに示されるように、アカウントセットアップ及び管理モジュールは、ユーザのプロフィールを見ることができる他のユーザのリストを提供し、共有制限を含むビューアアクセス設定を設定し、リストに加わる招待状を送信するインタフェースを含むこともできる。例えば、リストは、例えば、患者、介護者等を含む全てのタイプのユーザを含むことができる。
【００３５】
例えば、アカウントセットアップ及び管理モジュールは、介護者によって操作し得、それにより、例えば、介護者は分析物監視サービスに加入している複数のユーザ（例えば、患者）の健康情報（例えば、特に、過去、現在、及びリアルタイムの分析物濃度測定入力、食品及び食事入力、活動入力）にアクセスすることができる。幾つかの実施形態では、介護者は更に、患者が分析物テストを実行するとき、警告を受信することができる。そのような警告は、テキストメッセージ、音声／電話メッセージ等の形態で提供することができ、それにより、介護者は、テストに続く任意の時間にウェブポータルにアクセスすることができる。幾つかの実施形態では、テストが行われないことも警告をトリガーすることができ、それにより、テストを行うために、患者に更なる注意及び／又はリマインダーが必要であり得ることを介護者に通知する。別の例示的な実施形態では、介護者及び患者は、例えば、開示のユーザインタフェースの一部として組み込まれるオンラインチャット機能を通して、インタラクティブ通信に参加することができる。例えば、例示的なユーザインタフェースは、ユーザ（例えば、介護者）が多数の患者データを閲覧し、リスト上の各患者のそのデータにアクセスする患者リストモジュールを含むことができる。
【００３６】
図８Ａ及び図８Ｂは、インタラクティブユーザインタフェースの患者リストモジュールの例示的な表示画面を示す。患者リストモジュールは、患者識別情報（例えば、氏名、性別、生年月日、写真等）と、例えば、最近及び／又は平均の測定分析物レベルを含む患者の現在の健康情報の概要とを示すインタフェースを含むことができる。例えば、患者リス
トモジュールは、患者のリストをユーザ定義のグループに編成することができる。
【００３７】
図９Ａ〜図１３Ｄは、例示的な患者の例示的な健康情報モジュールの例示的な表示画面を示し、患者は、例えば、介護者ユーザを含むユーザによって患者リストモジュールから選択することができる。例えば、健康情報モジュールは、例えば、測定分析物レベルモジュール（例えば、グルコース読み取り値）、薬剤モジュール（例えば、インスリン／薬剤）、食事又は栄養モジュール（例えば、炭水化物（カーボ））、身体活動又はフィットネスモジュール（例えば、歩数モジュールでの歩数又は運動モジュールで入力された他の身体活動）、及び／又は他の健康情報モジュール等の複数のサブカテゴリデータモジュールを含むことができる。例えば、例示的な健康情報モジュールは、様々なデータについてのユーザメモ及び情報（「タグ」）を入力する機能を含むことができる。また、例えば、例示的な健康情報モジュールのそれぞれ又は任意の表示インタフェースは、最新の分析物レベルの概要及び追加の健康情報データ（例えば、測定分析物レベルの概要データ、薬剤注入、栄養情報、並びに歩数及び運動持続時間を含むフィットネス情報）を含むことができる。
【００３８】
図９Ａに示されるように、例示的な測定分析物レベル（例えば、グルコース読み取り値）モジュールは、平均読み取り値（例えば、１日又は複数日にわたる平均）、最低レベル読み取り値（例えば、所与の日又は複数日の）、最高レベル読み取り値（例えば、所与の日又は複数日の）、及び特定の血糖値範囲内であった時間の割合（例えば、低範囲、目標範囲、又は高範囲内であった時間の割合等）等の様々な血糖値読み取り値を示すユーザインタフェースを含む。例えば、例示的なグルコース読み取り値モジュールは、図１６Ｄに後に示されるように、ユーザが、範囲を定義する閾値レベルを変更できるようにし得るユーザインタフェースを含む。図９Ａを参照して、例示的なグルコース読み取り値モジュールの表示画面に表示される情報は、他のデータフォーマットにエクスポートすることができ、他のデータフォーマットは、例えば、開示されるユーザインタフェース技術のジャーナルモジュール及び／又はリポートデータモジュールに転送し、且つ／又は記憶することができ、且つ／又は例えば、無線通信リンクを介して他の装置に送信することができる。例えば、図９Ｂに示されるように、例示的なグルコース読み取り値モジュールは、グルコース読み取り値表示に示される測定血糖値と、例えば、栄養、薬剤及び／又はインスリン、ストレス、吐き気、運動及び歩数を含むフィットネス、及び／又は音声メモを含む、選択可能なリストから選択することができる追加の健康情報データとをエクスポートすることができるユーザインタフェースを含む。例示的な測定分析物レベルモジュールは、図９Ｄに示されるように、健康情報カテゴリの全て又は選択されたサブセットを含むことができる健康情報の概要データを表示する機能を含むことができる。例示的な測定分析物レベルモジュールは、図９Ｅに示されるように、分析物読み取り値に載せられる様々なデータについてのユーザメモ及び情報（「タグ」）を入力する機能を含むことができる。
【００３９】
図９Ｃに示されるように、例示的な測定分析物レベルモジュール（例えば、グルコース読み取り値モジュール）のインタフェースは、様々な血糖値読み取り値９１１〜９１６（例えば、１日平均９１１、最低レベル９１２、最高レベル９１３、範囲割合９１４、範囲内の割合９１５、及び複数日平均９１６）をグラフィックフォーマット及び定量的フォーマットで提示し、タグ付きアイコン９２０が、１日（又は他の例では、例えば、１週間、１ヶ月、又は１年等）中の様々な場合での患者情報（例えば、患者により入力される）を表す。例示的なタグ付きアイコン９２０は、見やすくするために異なる色及びデザインで表すことができる。例示的なタグ付きアイコン９２０は、バブルテキストアイコン９２２内のアイコンのタイプに関連する情報を提示するように選択することができる。例えば、例示的なタグ付きアイコン９２０の情報は、ユーザタグ付き入力の中でも特に、特定の場合に服用された薬剤のタイプ及び量、特定の場合に摂取した栄養のタイプ及び量、患者によって行われた身体活動の量、又は患者がストレス若しくは吐き気を感じたか否か、音声
メモを含むことができる。更に、追加の健康情報を、例示的な測定分析物レベルモジュールの表示インタフェースにグラフィカルに表すこともできる。例えば、フィットネスモジュールは、ユーザの歩数及び／又はユーザによって行われた運動の持続時間を含むフィットネスデータを測定分析物レベルモジュールと共有することができ、それにより、複数のタイプのデータを同じ表示インタフェースに表示することができる。例えば、図９Ｃに示されるように、ユーザ歩数データ９３１及び血糖値データ９０１は、時間尺度９０３上の１日中に、それぞれ尺度９３２及び９０２上に各レベルを示す同じグラフに表示される。例えば、測定分析物レベルモジュールのインタフェースは、ユーザがグラフィック表示された血糖値データ９０１の個々のグルコーステストを選択できるようにし得、それにより、個々のテストについての更なる詳細情報を、例えば、バブルテキストアイコン９０４に提示することができる。例えば、目盛りは、目標値（例えば、歩数目標データ点９３２ａ、グルコースレベル低閾値レベル９０２ａ、及びグルコースレベル高閾値レベル９０２ｂで例示されるような目標及び／又は低／高閾値）を表すこともできる。例えば、分析物レベルデータのバブルテキスト９０４及び健康情報タグ付きアイコンデータの９２２の色は、見やすくするために、タグ付きアイコン及び分析物レベル範囲に対応する色で表すことができ、それにより、例えば、ユーザは、同じ表示画面に提示される複数のバブルを区別することができる。例示的な測定分析物レベルモジュールのインタフェースは、健康情報に関連付けられたデータを表示に選択するメニュー９５１を提示することができる。更に、例えば、例示的な測定分析物レベルモジュールのインタフェースは、例えば、図９Ｃに示されるような当日データインタフェース、７日データインタフェース、１４日データインタフェース、３０日データインタフェース等の、表示される健康情報が表す日数を選択するメニュー９５２を提示することができる。
【００４０】
図１０Ａ〜図１０Ｅは、インタラクティブユーザインタフェースの例示的な薬剤（例えば、インスリン／薬剤）モジュールの例示的な表示画面を示す。例えば、図１０Ａに示されるように、例示的なインスリン／薬剤モジュールの表示インタフェースは、例えば、薬剤のデータ、時刻、タイプ及びサブタイプ、並びに投与量を含むが、これらに限定されない、患者によるインスリン処方を詳述する様々なデータのログ（例えば、グラフィック及び／又はテキストで表される）を表示することができる。例えば、例示的な薬剤モジュールは、例えば、ユーザが分析物監視システムを利用する医療条件に直接関連しない薬剤等の患者が服用する他のタイプの薬剤についての薬剤情報を記憶し、表示することができる。例えば、図１０Ｂに示されるように、例示的なインスリン／薬剤モジュールは、インスリン薬剤情報の履歴を表示し、新しいタイプのインスリン薬剤情報をデータモジュールに追加し（図１０Ｃにも示される）、且つ／又は患者が現在使用中のものとして示される既存のインスリン薬剤を再開するインタフェースを含む。例えば、図１０Ｄに示されるように、例示的なインスリン／薬剤モジュールは、患者が使用する他の薬剤情報の履歴を表示し、新しいタイプの他の薬剤情報をデータモジュールに追加し（図１０Ｅにも示される）、且つ／又は患者が現在使用中のものとして示される既存の他の薬剤を再開するインタフェースを含む。
【００４１】
図１１Ａ及び図１１Ｂは、インタラクティブユーザインタフェースの例示的な栄養（例えば、炭水化物）モジュールの例示的な表示画面を示す。例示的な栄養モジュールはここでは主として、基本概念の理解を促すために、炭水化物栄養摂取に基づいて説明されるが、栄養モジュールが、例えば、タンパク質、脂肪、ビタミン、ミネラル、及び／又は水を含むが、これらに限定されない患者が摂取する他の栄養の監視を含むことも可能なことが理解される。例えば、例示的な炭水化物モジュールの表示インタフェースは、図１１Ａ及び図１１Ｂに示されるように、１日（図１１Ａ）又は選択された日数（図１１Ｂ）にわたり患者が摂取した食べ物に基づいて、栄養情報を詳述する様々なデータのログ（例えば、グラフィック及び／又はテキストで表される）を表示することができる。例えば、例示的な栄養モジュールは、１日、１週間等の時間過程にわたる各食事、例えば、朝食、昼食、
夕食、及び間食の栄養情報を記憶し表示することができる。栄養情報は、開示のユーザインタフェースを含む記載される任意の例示的な装置（例えば、ウェブポータルを介して、例えば、分析物測定装置３０１、モバイル装置３０２、及び／又はコンピュータ装置３０３）を使用して、患者によって入力することができる。例示的な栄養モジュールは、特定の食事又はある時間過程にわたる複数の食事の量又は１日摂取量の割合を含む栄養素（例えば、炭水化物）の定量的値を示すことができる。データは、グラフィックに表示することもでき、それと同様に、ユーザの目標に基づいて範囲（例えば、低範囲、目標範囲、又は高範囲）で示すこともできる。
【００４２】
図１２Ａ〜図１２Ｅは、インタラクティブユーザインタフェースの例示的なフィットネスモジュール（例えば、歩数モジュール及び運動モジュール）の例示的な表示画面を示す。例えば、例示的な歩数及び運動モジュールの表示インタフェースは、患者が示す身体活動情報を詳述する様々なデータのログ（例えば、グラフィック及び／又はテキストで表される）を表示することができる。例えば、患者ユーザの歩数を歩数計によって記録し（例えば、分析物測定装置３０１に含まれる歩数計装置又は開示のユーザインタフェースを実行するスマートフォン等の他の装置等）、例えば、図１２Ａ〜図１２Ｃに示されるように、歩数モジュールによる分析及び表示のために、歩数モジュールに入力することができる。図１２Ａは、１日にわたる歩数データの累積表示を示し、一方、図１２Ｂは、１日にわたる歩数データの１時間毎の表示を示す。図１２Ｃは、表示される数日にわたる歩数データを示す。例えば、歩数は、例えば、到達した目標又は閾値に基づいて１日又は複数の日数にわたる平均として分析してユーザに示すことができ、歩数データは、患者目標に相対して示すことができる。例えば、分析物測定装置３０１に含まれる歩数計は、常時動作するように構成することができ、例えば、患者がアクティブ化又は非アクティブ化する必要なく、患者ユーザの歩数を絶え間なく追跡することができる。歩数モジュールは、所与の時間間隔で歩数を自動的にリセットするように構成することができる。例えば、歩数モジュールは、毎日が始まるとき、例えば、００：００：００（時：分：秒）又は１２：００ＡＭに、分析物測定装置３０１内の歩数計によって記録された歩数をリセットするように構成することができる。
【００４３】
また、例えば、患者ユーザが運動した時間量を、例えば、図１２Ｄ及び図１２Ｅに示されるように、運動モジュールによる分析及び表示のために、患者が記録し入力することができる。例えば、運動量（例えば、分数）読み取り値は、最低又は最高等の到達した目標又は閾値と、身体活動の実行に費やした時間の割合とに基づいて、１日又は複数の日数にわたる平均として分析し、ユーザに示すことができる。
【００４４】
図１３Ａ〜図１３Ｄは、インタラクティブユーザインタフェースの例示的な目標モジュールの例示的な表示画面を示す。図１３Ａ及び図１３Ｂに示されるように、目標モジュールは、ユーザが他のデータモジュールを使用してアクセスすることができる様々なユーザ活動、例えば、血糖値、栄養摂取、歩数、及び運動の持続時間の閾値をユーザが設定できるようにし得る。例えば、閾値は、閾値のタイプの中でも特に、高範囲値、目標範囲値、及び低範囲値、特定の持続時間にわたる活動量、又は活動の合計量に基づいて設定することができる。また、例えば、任意の健康パラメータの閾値を所望の日付範囲にわって設定することができる。図１３Ｃ及び図１３Ｄに示されるように、目標モジュールは、例えば、ユーザ健康情報データがターゲットとする目標を下回ったか、又は上回った程度を示すことができる対応する目標及び更なる分析データとともに、ユーザ健康情報データを提示することができる。例えば、例示的な目標モジュールの表示インタフェースは、１日（図１３Ｃ）又は選択された日数（図１３Ｄ）にわたる各タイプのデータ及び対応する目標データを詳述する様々なユーザ健康情報データを表示することができる。
【００４５】
図１４Ａ及び図１４Ｂは、インタラクティブユーザインタフェースの例示的なジャーナ
ルモジュールの例示的な表示画面を示す。例えば、図１４Ａに示されるように、ジャーナルモジュールは、テキスト、画像、及び／又はオーディオデータを含むユーザ入力データ及び／又は計算装置の表示画面に表示されたインタラクティブユーザインタフェースのスナップショット画像を含むことができ、例えば、ユーザが、特定の日時に発生した事象及び／又は特定の健康情報に関連付けられた検索可能なメモを付せるようにし得る。ジャーナルモジュールは、ユーザが、例えば、談話的情報及び健康情報等の情報を入力し、その情報を随時見直せるようにし得る。例えば、ジャーナルモジュールは、ユーザが、個人的なメモを提供し、他のモジュール（例えば、健康情報モジュール等）でのグラフ及びデータのスナップショットを取得できるようにし得る。ユーザは、健康情報モジュールから１つ又は複数のタイプのデータ（例えば、分析物レベル測定値、インスリン及び／又は薬剤、栄養、運動及び／又は歩数、ストレス、吐き気、並びに音声メモ及びグラフ又は例示的な図に示されていない他のタイプのデータ）を、日時に関連付けられたジャーナルに入力するものとして選択することができるとともに、時間過程（１日等）にわたる１つのテスト又は様々なテストに関連付けることができるメモを追加し、この情報をジャーナル（例えば、ジャーナルモジュール内でアクセスすることができる）に追加することができる。例示的なジャーナルエントリは、ユーザによる将来の参照のために保存することができる（例えば、データベースに）。例えば、患者は、介護者がレビューするために、自身の厚生、活動、薬剤、及び分析物監視経験についてのメモを入力することができる。例えば、ユーザは、キーワード又はデータタイプを通してジャーナルエントリをフィルタリングし、そのような記憶情報を検索することができる。幾つかの実装形態では、例えば、ユーザは、以下の例示的な方法でキーワード検索を実行することができる。一例では、ユーザはキーワードをタイプして、ジャーナルの書かれたテキストを通して検索することができる。別の例では、図１４Ｂに示されるように、ユーザは、例えば、グルコース読み取り値、インスリン、薬剤、炭水化物、歩数、運動、ストレス、吐き気、音声メモ、及びグラフ等であるが、これらに限定されないドロップダウンメニューから任意の予め記憶されたキーワードのうちの１つを選択して、ジャーナルにエクスポートされる項目、画像、及びデータを通して検索することができる。例えば、ジャーナルにエクスポートされるスナップショット画像（例えば、特定の時間期間にわたってプロットされた１つ又は複数のタイプの患者の健康情報を含む表示グラフ）は、データ検索に基づいて検索する能力を提供する動的データを含むことができる。例えば、ユーザが健康情報のスナップショットを、例えば、例示的なインタラクティブユーザインタフェースの様々なモジュールからエクスポートすることができる、時間にわたる患者の歩数に関連するジャーナルにエクスポートする場合、ジャーナルモジュールは全てのジャーナルエントリを通してフィルタリングし、歩数に関連する項目のみを検索して提示することができるため、ユーザは、キーワードドロップダウンメニューから「歩数」を検索することにより、それらのエントリを検索することができる。
【００４６】
図１５Ａ〜図１５Ｈは、インタラクティブユーザインタフェースの例示的なリポートモジュールの例示的な表示画面を示す。リポートモジュールは、ユーザが、例えば、上述した健康情報モジュールに表示される健康情報と同様に、又は同じように、データベースに記憶された任意の健康情報のデータリポートをエクスポートできるようにし得る。例えば、時間の過程、ある範囲、及び他の表現にわたる分析物レベル、薬剤、栄養、歩数、及び運動の持続時間情報を含むテキスト及びグラフィックで表された健康データを含むデータリポート。例えば、データリポートは、健康データ及び事象を全ての包含するようにフォーマットし、時間パラメータ（例えば、ログブック内のテーブル様フォーマットの場合、時刻が横に表示され、日付又は選択された時間枠が縦に表示されるなど）に基づいて編成することができ、健康データ及び事象は、異なる色及び異なる形状のアイコンで識別され、関連付けられたテキスト又はシンボルを含むことができる。
【００４７】
図１５Ａに示されるように、リポートモジュールは、ユーザが、例えば、時間期間及び
／又は開始日及び終了日、並びにリポートタイプを含む生成リポートのデータパラメータを選択するインタフェースを含むことができる。例えば、リポートタイプは、ログブックリポート、日時分析物平均のリポート、食事時間の分析物値、栄養値、及び薬剤値のリポート、食事時間の分析物平均のリポート、健康及び運動パターンリポート、及び／又は未処理データリポートを含むことができるが、これらに限定されず、これらの任意のリポートは単一のリポートに組み合わせることができる。例えば、ログブックリポートは、分析物（例えば、グルコース）読み取り値及び健康情報タグ、食事前及び食事後の平均、日毎の平均、並びに栄養（例えば、炭水化物）及び薬剤（例えば、インスリン及び他の薬剤を含む）の日毎の合計摂取量を含むことができる。例えば、日時分析物平均リポートは、高読み取り値、低読み取り値、及び正常読み取り値の統計学的分析を含む、日毎及び時間による分析物（例えば、グルコース）レベルを含むことができる。例えば、食事時間の分析物、栄養、及び薬剤リポートは、食事毎の栄養（例えば、炭水化物）及び薬剤（例えば、インスリン及び他の薬剤を含む）の平均摂取量を含む、食事前及び食事後の平均分析物（例えば、グルコース）レベルを含むことができる。例えば、食事時間分析物平均リポートは、各食事前及び各食事後の分析物（例えば、グルコース）読み取り値を含むことができ、それにより、例えば、食事前及び食事後の分析物レベル傾向を可視化することができる。例えば、健康及び運動パターンリポートは、歩数、運動、吐き気、ストレスのパターンを含む健康及びフィットネス活動の全体図を含むことができる。例えば、未処理データリポートは、測定器及び／又はインタラクティブユーザインタフェースのデータモジュールに入力された未処理データ及びタグを含むことができる。
【００４８】
図１５Ｂ〜図１５Ｈは、ログブックリポート（図１５Ｂ）、日時分析物平均リポート（図１５Ｃ）、食事時間の分析物値、栄養値、及び薬剤値リポート（図１５Ｄ）、食事（図１５Ｅ）及び間食（図１５Ｆ）の食事時間（食事前及び食事後）分析物平均リポート、健康及び運動パターンリポート（図１５Ｇ）、及び未処理データリポート（図１５Ｈ）の表示インタフェースの例をそれぞれ示す。例示的なリポートは、テーブル、テキストでの説明、様々なタイプのプロット／グラフ、又はそれらの組み合わせを含む各データリポートの表示インタフェースを提示することができる。
【００４９】
図１６Ａ〜図１６Ｆは、インタラクティブユーザインタフェースの例示的な測定器インタフェースモジュールの例示的な表示画面を示す。例えば、測定器インタフェースモジュールは、図１６Ａに示されるように、分析物測定装置のシリアルナンバー、装置の使用が割り当てられた患者、記載のユーザインタフェースと対話するデータベースとの測定器の最後のデータ同期、及び装置の分析物テストストリップカセット、穿刺針カセット、及び／又は他の装置構成要素のサプライレベルについての情報を提供することができる。更に、例えば、測定器インタフェースモジュールは、図１６Ａ及び図１６Ｂに示されるように、患者プロフィールに関連付けられた分析物測定装置を非アクティブ化する能力をユーザに提供することができる。図１６Ａを参照すると、例示的な一実施形態では、測定装置内の穿刺針又は任意の他の消耗品は、残っている消耗品の在庫が設定された閾値に達した場合、自動的に注文することができる。このように、患者は、サプライを手動で追跡し、注文する必要がなく、これは、患者が旅行中であるか、又は旅行以外で注文を出すことができない場合に特に有利であり得る。別の例示的な実施形態では、測定装置内の穿刺針又は任意の他の消耗品は、残っている消耗品の在庫が設定された閾値に達した場合、分析物測定装置、ウェブポータル、又は別の装置のモバイルアプリケーション（例えば、コンピュータ装置３０３又はモバイル装置３０２）を使用して分析物測定装置の所有者によって注文することができる。そのような機能は、測定器インタフェースモジュール又は患者情報モジュール等の別のモジュールの一部として実装することができる。例えば、測定器インタフェースモジュールは、分析物測定装置３０１又はモバイル装置３０２又は他のコンピュータ装置３０３でのウェブポータルによってアクセスすることができ、例えば、図１６Ｃに示されるように、間食又は食事をとること、薬剤を服用／投与すること、分析物テス
トを実行することなどの患者へのリマインダー、並びにいつどの頻度でそのような行動をとるべきかを含む警告及びリマインダーを分析物測定装置３０１に提供する。
【００５０】
分析物測定装置の一部として実装可能な例示的な一実施形態では、装置は、タイムゾーンの変更を自動的に検知し、それに従って、新しいタイムゾーンに基づいて警告を調整することができる。例えば、新しいタイムゾーンは、分析物測定装置がセルラネットワーク又はインターネットに接続されるときに検出することができる。新しいタイムゾーンが検出されると、既存の警告を新しいタイムゾーンに従って調整すべきか否かを確認するようにユーザに促し得る。
【００５１】
別の例では、測定器インタフェースモジュールは、ユーザが、分析物（例えば、グルコース）の目標レベルと、高レベルと、低レベルとを分ける閾値レベルを変更できるようにする。図１６Ｄの例示的な表示インタフェースが示すように、第１の調整可能な閾値（例えば、低は８０ｍｇ／ｄＬに設定される）及び第２の調整可能な閾値（例えば、高は１４１ｍｇ／ｄＬに設定される）を使用して、低血糖値（８０未満）、目標レベル（８０と１４１との間）、及び高レベル（１４１超）の範囲を区切ることができる。開示される実施形態の別の特徴は、分析物の低範囲、目標範囲、及び高範囲の提示に異なる配色を割り当てることに関する。例えば、異なる配色は、例えば、他の健康関連因子あり、又はなしでプロットされる分析物データの例示的なグラフィックからの白黒プリントアウト等の白黒フォーマットで区別可能なように構成することができる。別の例では、測定器インタフェースモジュールは、図１６Ｅ及び図１６Ｆに示されるように、ユーザのデータが特定の範囲になったときにユーザに送信することができるピクチャ又はメッセージを含むが、これらに限定されない、分析物測定器に関連付けることができる個人情報をユーザが入力できるようにし得る。
【００５２】
図１７Ａ〜図１７Ｄは、例えば、介護者ユーザにより患者リストモジュールから選択することができる例示的な患者の、インタラクティブユーザインタフェースの例示的な患者情報モジュールの例示的な表示画面を示す。図１７Ａに示されるように、患者情報モジュールは、患者についての医療情報（例えば、氏名、性別、生年月日、身長、体重、疾病のタイプ、慢性病状のリスト、アレルギーのリスト、医師及び他の医療提供者の氏名及び連絡先情報、緊急連絡先情報等をユーザに提供することができる。患者情報モジュールは、図１７Ｂに示されるように、例えば、現在、装置に幾つの装置構成要素があるか等の患者の分析物測定装置又は他の生体医療装置についてのサプライ情報と、配達日及びステータスを含むそのような構成要素の注文履歴と、他の注文詳細とをユーザに提供することができる。図１７Ｃに示されるように、患者情報モジュールは、例えば、患者がいつ特定の食事をとるか、テスト及び服薬するか等の患者についての時間スケジュール情報をユーザに提供することができ、時間スケジュール情報を使用して、スケジュールされた事象（例えば、食事時間、グルコーステスト時間、又はインスリン注射時間）を患者に警告することができる。患者情報モジュールは、ユーザが、例えば、一晩、朝、午後、夕方、及び就寝時間等の時間スケジュール間隔の時間数を決定できるようにし得る。患者情報モジュールの幾つかの実施形態では、例えば、患者の食事又は栄養摂取情報を、これらのユーザ定義の間隔中の摂取時間に基づいて自動的に割り当て編成することができる。例えば、朝食は朝の間の最初の食事であることができ、朝の間のその後の食品摂取は、朝の間食として編成することができる。これは、有利なことに、ユーザ（例えば、介護者等）に、ユーザの血糖値の食事前及び食事後の分析及び食品摂取が血糖値にいかに影響するかを提供する。幾つかの実施形態では、例えば、患者情報モジュールは、通常のスケジュールからの「オフ日」を設定する選択オプションを含むことができる。例えば、患者が、週末でのライフスタイルとは異なる典型的なライフスタイルルーチン又はスケジュールを平日に有する（例えば、仕事に行く）場合、患者は、スケジュールから土曜日及び日曜日を選択解除することができる。例えば、患者の通常のスケジュールを知ることは、介護者が患者の健康デ
ータ（例えば、測定血糖値）の変動をよりよく理解するのに役立つことができる。図１７Ｄに示されるように、患者情報モジュールは、例えば、患者の介護者、アカウントマネージャ、患者自身等の患者の健康において役割を果たすユーザ（又はエンティティ）のリストをユーザに提供することができる。更に、例えば、患者情報モジュールは、例示的なインタラクティブユーザインタフェースを使用して任意のユーザのログイン活動についての情報をユーザに提供することができる。
【００５３】
図１８は、ユーザが指示情報（例えば、ビデオ及びテキストを含む）、ＦＡＱ情報、及び技術サポート連絡先情報を取得する開示のインタラクティブユーザインタフェースのヘルプモジュールの例示的な表示画面を示す。
【００５４】
図１９Ａ及び図１９Ｂは、ユーザが、例えば、分析物測定装置３０１及び／又は分析物監視サービスに関連付けられたアカウント及び課金情報を取得する開示のインタラクティブユーザインタフェースの例示的なアカウント及び課金情報モジュールの例示的な表示画面を示す。例えば、アカウント及び課金情報モジュールは、例えば、ユーザ名、電子メール、アカウントセキュリティ情報（例えば、パスワード、セキュリティ質問等）、患者リスト、及び課金、出荷、及び支払い情報（例えば、クレジットカード情報）を含むユーザアカウント情報の初期セットアップ又は編集のためのインタフェースを含むことができる。
【００５５】
図２０Ａ及び図２０Ｂは、モバイル装置で開示されるインタラクティブユーザインタフェースを実装する例示的なモバイルソフトウェアアプリケーションの様々な例示的な表示画面を示す。図２０Ａに示されるように、モバイルアプリケーションインタラクティブユーザインタフェースは、例えば、モバイル表示画面用に構成された、ログインインタフェース、患者リストインタフェース、及びホーム（画面）インタフェースを含む様々な表示インタフェースを表示するデータモジュールを含むことができる。図２０Ｂは、例えば、分析物レベルデータグラフモジュールを含む例示的な測定分析物レベルインタフェースを提示するモバイル装置の表示画面を示す。例えば、分析物レベルデータグラフモジュールは、１日を通じての１つ又は複数の分析物（例えば、グルコース等）についての患者の分析物レベルを含むことができる。例示的なグルコースレベルグラフィカルインタフェースは、低い範囲、所望の範囲、及び高い範囲の血糖値にプロットされる定量的グルコース測定値を特徴とする。
【００５６】
図２１Ａ〜図２１Ｊは、モバイル装置で実装されるソフトウェアアプリケーションを使用して動作するように構成される開示のインタラクティブユーザインタフェースの表示画面の例を示す。例示的なソフトウェアアプリケーションは、モバイル装置に記憶され、例えば、無線通信を介してクラウド内のデータベースにアクセスして、健康情報データを送受信することができる。モバイルソフトウェアアプリケーションによって提供されるユーザインタフェースの例示的な表示画面は、例示的なウェブポータルで実装される開示のユーザインタフェースの機能の全て又は少なくとも幾つかを含む。図２１Ａ〜図２１Ｊに示されるように、モバイルアプリケーションを通して実装されるユーザインタフェースの外観は、ウェブポータルを通して実装されるユーザインタフェースの外観とは異なって見え得るが、モバイルアプリケーションを通して実装されるユーザインタフェースは、上述したものと同じ機能を保持することができる。
【００５７】
図２１Ａは、例えば、機能の中でも特に、表示画面をどのように回転、拡大、及びナビゲートすることができるかをユーザに示す、モバイル装置で実装される例示的なモバイルソフトウェアアプリケーションへの例示的なチュートリアルの例示的な表示画面を示す。図２１Ｂ及び図２１Ｃは、例えば、患者のグルコース情報、ログ、ジャーナル、及び他の分析のグラフィック分析、テキスト分析、及びオーディオ分析を含む、様々な健康情報デ
ータを提示する例示的なモバイルソフトウェアアプリケーションの例示的なインタラクティブユーザインタフェースの例示的な表示画面を示す。図２１Ｄ〜図２１Ｆは、例えば、患者の医療情報及び運動情報のグラフィック分析、テキスト分析、及びオーディオ分析を含む様々な健康情報データを提示する例示的なモバイルソフトウェアアプリケーションの例示的なインタラクティブユーザインタフェースの例示的な表示画面を示す。図２１Ｇは、例えば、テキストエントリ、録音、グラフスナップショット等のスナップショット及び入力データのジャーナルエントリを含む、例示的なモバイルソフトウェアアプリケーションにジャーナルモジュールを提示する例示的なインタラクティブユーザインタフェースの例示的な表示画面を示す。図２１Ｈは、例えば、分析物レベル目標範囲及び／又は閾値及び他の健康関連因子、並びに例えば、患者ユーザのモバイル装置に送信される通知／警告メッセージに基づいて通知設定を設定する通知セットアップインタフェースを示す例示的なモバイルソフトウェアの例示的なインタラクティブユーザインタフェースの例示的な通知モジュールの例示的な表示画面を示す。図２１Ｉは、薬剤処方セットアップインタフェースを示す例示的なモバイルソフトウェアアプリケーションの例示的なインタラクティブユーザインタフェースの例示的な薬剤モジュールの例示的な表示画面を示す。図２１Ｊは、例えば、残っている消耗品の在庫が設定された閾値に達した場合に自動的に注文するか、又はモバイル装置に表示される例示的なインタラクティブユーザインタフェースを使用して、ユーザが消耗品を手動で注文することに基づいて注文することができる測定装置内のテストストリップ、穿刺針、又は任意の他の消耗品の現在の在庫を示す例示的なモバイルソフトウェアアプリケーションの例示的なインタラクティブユーザインタフェースの例示的な測定器インタフェースモジュールの例示的な表示画面を示す。
【００５８】
図２２Ａは、例えば、装置の内部構成要素の幾つかを示す例示的な分析物測定装置の概略図を示す。例示的な分析物測定装置は筐体を含み、この筐体は、穿刺針カートリッジ２２１５を格納する区画と、分析物センサカートリッジ２２２５を格納する区画とを含む。例示的な分析物測定装置は、データ処理ユニット、データ処理ユニットと通信してデータを記憶するメモリユニット、例えば、分析物センサからの信号を可読データ（例えば、血糖値）に変換するのに使用される、データ処理ユニット及び分析物センサカートリッジ２２２５に通信可能に結合される変換電子装置、少なくとも１つの加速度計（例えば、ユーザの歩数を追跡する歩数計装置を実装するのに使用される）、任意の開示される装置（例えば、クラウド内のコンピュータシステム、ウェブポータルを介するコンピュータ装置３０３、及び／又はモバイル装置３０２）と通信する送信器及び／又は受信器を含むが、これらに限定されない幾つかの機能を実行可能な電子構成要素を収容する電子装置区画２２３０も含む。例示的な分析物測定装置は、（ｉ）穿刺装置を準備し（ハンマーを傾ける）、（ｉｉ）分析物センサを露出させ、（ｉｉｉ）使用のために穿刺針カートリッジを進めるように構成されたアクチュエータ２２４０を含む。
【００５９】
幾つかの例示的な実施形態では、分析物測定装置のアクチュエータ２２４０は、アクチュエータの１回の移動で、分析物センサを露出させ、使用のために穿刺針を進め、ハンマーを傾けることの全てを行うリンケージを有する機構を含むことができる。幾つかの例示的な実施形態では、１回の移動は、レバーを引っ張るか、レバーを押すか、又はボタンを押して、装置の電動動作を可能にすることを含む。幾つかの例示的な実施形態では、機構は、分析物センサを露出させる第１のリンクと、前進穿刺針を進める、第１のリンクとは異なる第２のリンクとを含む。例えば、分析物センサの露出は、好ましくは、穿刺針の前進と相対して独立して行われる。例えば、機構は、分析物センサの露出又は穿刺針の前進からアクチュエータを解放可能な解放制御機構を含むことができる。
【００６０】
図２２Ｂは、例示的な穿刺針カートリッジ２２１５の図を示す。穿刺針カートリッジ２２１５は複数の穿刺針２２１７を保持することができる。例えば、分析物測定装置の機械的機構は、複数の穿刺針２２１７の１つに接触することができ、したがって、それにより
、穿刺針を穿刺針カートリッジ２２１５から部分的に出す。
【００６１】
図２２Ｃは、例示的な分析物センサカートリッジ２２２５の図を示す。センサカートリッジ２２２５は、複数のテストユニット２２２７（例えば、テストストリップ）を保持することができる。例えば、分析物測定装置の機械的機構は、センサカートリッジ２２２５の片側の開口部又はスロットに入ることができ、テストユニット２２２７の一部を開口部から押し出し、したがって、使用のために分析物センサを露出させることができる。
【００６２】
任意の上記図で説明された様々なユーザインタフェース機能、モジュール、及び表示をモバイル装置ユーザインタフェース、ウェブポータルユーザインタフェース、及び分析物測定装置の部分として実装可能であることに留意されたい。しかし、ユーザインタフェース機能、モジュール、及び表示の幾つかは、ポリシー、実装効率、又は他の考慮事項に基づいて、モバイル装置、ウェブポータル、及び分析物測定装置のユーザインタフェースのより多いもののうちの１つから省略してもよい。
【００６３】
患者に複数のタイプの薬剤（例えば、複数のタイプのインスリン）が処方されている例示的な一実施形態では、各タイプの薬剤に関連付けられた情報を自動的に生成し、適切な装置又はデータベースに通信することができる。例えば、２つの異なるタイプのインスリンの投与量及び投与時間に関連する情報を分析物測定装置及び／又はデータベースに通信することができる。そのような情報は、開示される実施形態に関連付けられた異なる機能を提供する際に考慮に入れられる。
【００６４】
例示的な一実施形態では、ウェブポータル上のユーザインタフェースは、分析物測定装置のデータ及び／又は構成設定を消去することができる追加の機能を含む。そのような機能は、例えば、分析物測定器を紛失するか、又は盗まれた場合、プライベート情報をリモートで削除することができるため、分析物測定装置に記憶されているデータのセキュリティを強化する。
【００６５】
幾つかの例示的な実施形態では、分析物測定器で動作する例示的なユーザインタフェースは、以下を含むことができるが、これらに限定されない特徴を提供することができる。１．事象タイムスタンプ付け及びウェブへの更新（例えば、幾つかの例では、別個の事象が発生したとき、歩数計が更新される）。事象タイムスタンプ付け及びデータベースへの更新は、分析物（例えば、グルコース）テスト、歩数計（例えば、加速度計を使用する）、音声メモ（例えば、任意のタグ活動に追加する他の手段）、栄養情報（例えば、炭水化物、食事タイプ及び炭水化物数の入力）、処方リストを患者のウェブアプリケーションからプルすることができる、インスリン／薬剤情報（例えば、タイプ及び数量の入力）、運動情報（例えば、開始時刻及び設定された持続時間の確認）、患者ストレス情報、患者疾病情報、及び開示のユーザインタフェースを使用して任意の装置によって実装される事象の他の時間からのデータを含むことができる。
２．連続ログでの事象表示。
３．動機付けメッセージの提供及びテスト結果後の画像表示（例えば、ウェブアプリケーションから供給されるカスタマイゼーション）。
４．温度チェックの実行（例えば、安全な露出を確認するために−極端に高い又は低い温度は、格納されているストリップにダメージを与えるおそれがある）。
５．対照溶液の提供。対照溶液の一例では、テストストリップコードは、予期される対照溶液範囲に関連付けることができる。例えば、測定器レジスタは、ストリップが読み取られる際に対照溶液範囲を有し、装置が適宜機能していること、又は患者の確認のために範囲及びテスト結果を表示していることを自動的に確認することができる。
６．照明ポート。例えば、分析物測定装置は、穿刺針ポート及び分析物テストストリップポート又は装置の他のポートに照明を提供することができる。
７．使い捨て品（例えば、穿刺針及びテストストリップ）の在庫の監視。例えば、使い捨て品の監視は、分析物測定装置が装置内の未使用穿刺針及びテストストリップを追跡すること、又はデータがデータベースに送信され、それにより、ウェブベースのアプリケーション（ウェブアプリケーション）が残っているストック（例えば、パッケージ）を追跡し、残っているストックが少ない場合、測定装置と交信し（例えば、ｐｉｎｇを送信し）、使い捨て品を再注文する（例えば、測定器は、電子商取引して、適切なベンダーからより多くの使い捨て品を購入可能なウェブアプリと通信する）ことを含むことができる。
８．チュートリアルアニメーション。例えば、チュートリアルアニメーションは、テスト手順、タッチスクリーン、及びジェスチャーについてのユーザの教育、並びに緊急時又は９１１が利用される場合の個人情報の表示、アラームのサウンド及びトーンのカスタマイズという他の主要特徴を含むことができるが、これらに限定されない。
【００６６】
幾つかの例示的な実施形態では、ウェブポータルで動作する例示的なユーザインタフェースは、以下を含むことができるが、これらに限定されない特徴を提供することができる。
１．１つ又は複数の分析物測定装置を登録し、例えば、設定の中でも特に、緊急連絡先、理想的な分析物範囲、リポートを作成した食事時間、処方、リマインダー、及び写真を含む患者情報を含むカスタマイズ設定を可能にする。
２．複数の分析物測定器ユーザを見る、介護人が介護者できる（例えば、親又は家族）のユーザディレクタの提供。
３．分析物テスト毎又は「ｘ」分毎の分析物測定装置からのデータアップロード。
４．分析物レベル読み取り値及び活動、並びに音声メモを含む他の健康情報データのタイムラインを表すインタラクティブグラフィカル表示ページの提示。
５．使い捨て品の再注文。
６．測定器活動への警告−テスト時間、高／低読み取りアラームの設定。
７．例えば、様々なリポートオプション及び閲覧嗜好でのリポート内のデータエクスポート。
８．例えば、特定の事象及び／又は時刻／日付に関連付け、将来参照するために保存するとともに、フィルタリングされて、キーワード又はデータタイプ（例えば、テスト、音声メモ、運動等）を通して検索することができる、アプリケーションインタフェース全体を通してのグラフ及びデータの個人的メモ及びスナップショットを含むジャーナル機能の提供。
【００６７】
幾つかの例示的な実施形態では、モバイル装置（例えば、スマートフォン）で動作する例示的なユーザインタフェースは、以下を含むことができるが、これらに限定されない特徴を提供することができる。
１．複数の分析物測定器ユーザを見る、介護人が介護者できる（例えば、親又は家族）のユーザディレクタの提供。
２．分析物テスト毎又は「ｘ」分毎の分析物測定装置からのデータアップロード。
３．分析物レベル読み取り値及び活動、並びに音声メモを含む他の健康情報データのタイムラインを表すインタラクティブグラフィカル表示ページの提示。
４．使い捨て品の再注文。
５．測定器活動を監視するために警告を設定−テスト時間、高／低読み取りアラーム。
６．ジャーナル機能の提供。
【００６８】
他の例示的な特徴は、範囲内、高い、及び低いテストの割合を示す水平バーと、活動のアイコンとを含むことができる。更に、例えば、特徴は、オールインワン血糖値測定器として構成される、例えば、穿刺針、分析物テストストリップ、及び測定器を１つの小型装置に有する分析物測定装置、あらゆるテスト結果又はテスト不実施を、子供である患者の、親／保護者に警告することができる警告、無線接続（例えば、エアタイムコストをカセ
ットに内蔵することができる）、高／低血糖値閾値のカスタマイズ、食事時間クロック及び警告、画面上に日時を有するオートセットクロック、分析物測定装置での夜用ライト、カラータッチスクリーン、音声録音機能（例えば、紙のジャーナルに取って代わる／置換することができ、その時点での測定器読み取り値と活動とのアラインメントを可能にする）、及びオートリフィルメモを含むことができるが、これらに限定されない。
【００６９】
図２３Ａ及び図２３Ｂは、開示される実施形態の分析物監視システムの例示的なソフトウェアブロック図を示す。例示的なソフトウェアブロック図は、分析物監視システム内の装置（例えば、例示的な分析物測定装置、モバイル装置、及び／又はコンピュータ装置）に関連し、ＴｈｒｅａｄＸと呼ばれるオペレーティングシステムを含むことができる。例えば、例示的なＴｈｒｅａｄＸオペレーティングシステムは、例えば、ウェブポータルコンピュータ装置又はモバイル装置で見つけられるような、装置又は分析物監視システム内の装置及び装置のアプリケーションの特定の機能を制御するように構成することができる。例えば、ＴｈｒｅａｄＸオペレーティングシステムは、システム時間を制御し、例えば、ミューテックス、セマフォー、及びメッセージ等のサービスを提供する。例示的なＴｈｒｅａｄＸオペレーティングシステムは、複数のスレッドが並列で動作できるようにし、スレッド間の同期を提供する。
【００７０】
例示的な分析物監視システムのソフトウェアは幾つかの層で構成することができる。例えば、第１の層はハードウェアドライバ層である。この層には、ハードウェアインタフェースを制御するドライバがある。これらはＤＭＡ、割り込み、及びレジスタ書き込みを制御に使用することができる。ドライバは、例えば、ＵＳＢ、ＳＤＩＯ、Ｄ／Ａ、Ａ／Ｄ、ＧＰＩＯ、Ｉ２Ｃ、ＬＣＤ、及びＵＡＲＴを含むことができる。例えば、ドライバの次の層は、各インタフェースに固有のＡＰＩを介して下位ドライバを呼び出す。これらの例示的なドライバの大半は１つ又は複数のスレッドを有することができる。ドライバの幾つかは、状態機械として実装することができる。これらの例示的なドライバは、
ＵＳＢＸ：複数のＵＳＢエンドポイントを制御可能にするＵＳＢ制御ドライバ、
ＦｉｌｅＸ：ファイルシステム、
Ｐｌａｙ／Ｓｐｅａｋｅｒ：スピーカへの音声再生を制御、
Ｒｅｃｏｒｄ／Ｍｉｃ：マイクロホンからの音声記録を制御、
Ｐｏｗｅｒ：装置の電源状態並びに電池変化及びステータスを制御、
Ｖｉｂｅ：振動モータをオンにする、
ＬＥＤ：Ｉ２Ｃを使用してオン／オフ及び輝度を制御し、白色ＬＥＤを制御、
Ｂｕｔｔｏｎ／Ｓｗｉｔｃｈ：Ｉ２Ｃを使用して例示的な分析物測定器内のハードウェアボタン及びスイッチのステータスを返す、
Ａｃｃｅｌｅｒｏｍｅｔｅｒ：加速度計ステータスを検索し、Ｉ２Ｃを使用してその状態を制御、
Ｔｏｕｃｈ／Ｃａｐｓｅｎｓｅ：Ｉ２Ｃ及び割り込みを使用して、タッチスクリーン及びキャプセンスバックボタンのステータスを検索、
Ｄｉｓｐｌａｙ：ＬＣＤへのグラフィックス及びテキストの出力を制御、及び
Ｓｔｒｉｐ  ｒｅａｄｅｒ：ＵＡＲＴを使用してストリップリーダ基板とインタフェース
を含むことができるが、これらに限定されない。
【００７１】
最近の制御には幾つかの更なる層がある。例えば、これらの更なるソフトウェア層は、
Ｍｏｄｅｒｎ  ＣｎＳ：セルネットワーク制御及びステータス、
ＮｅｔＸ：ネットワークプロトコルスタック、及び
ＨＴＴＰ／ＳＳＬ：インターネットプロトコル及びセキュア通信層
を含むことができるが、これらに限定されない。
【００７２】
例示的なドライバの上には、幾つかの制御機能がある。例えば、これらの最上位ドライバは、少なくとも１つのスレッドで実装することができる。これらの例示的なドライバは、以下を含むことができるが、これらに限定されない。
Ｄａｔａｂａｓｅ：例えば、これは、全てのグルコース読み取り値及び事象データが記憶される場所である。ファイルシステムに記憶し、電源投入時にメモリに読み出すことができる。
Ｙｏｆｉ  Ｓｙｎｃｈ：例えば、これは、サーバへのデータベースの同期の制御である。データベース変更を通知され、次に、これらの変更をサーバに送信することができる。サーバに接続されると、任意の設定変更又はソフトウェア更新を受信することができる。オーディオファイルをサーバに送信することもできる。
Ａｕｄｉｏ：例えば、これは、録音、音声再生、オーディオファイルの記憶、及びオーディオファイルの圧縮を制御する。
Ｐｅｄｏｍｅｔｅｒ：例えば、これは、加速度計を使用する計算歩数。１時間毎に歩数がデータベースに記憶される。
Ｇｒａｐｈｉｃｓ／ＰＥＧ：例えば、ＰＥＧは、全てのグラフィックス出力及びＬＣＤを用いるユーザ対話を制御する。それ自体のメッセージハンドラを含むことができる。
【００７３】
幾つかの例では、例示的な分析物監視システムで実行される２つの主アプリケーション（アプリ）がある。例えば、第１の例示的なアプリはＹｏｆｉｍｅｔｅｒアプリと呼ぶことができる。Ｙｏｆｉｍｅｔｅｒアプリは、様々な制御機能と対話することができ、それらの活動を調整する。Ｙｏｆｉｍｅｔｅｒアプリは、Ｐｏｗｅｒドライバとも対話して、分析物テスト装置をスリープ状態にし、またスリープ状態から出すことができる。第２の例示的なアプリはＤｅｂｕｇｇｅｒ及びＴｅｒｍｉｎａｌ（Ｄｅｂｕｇｇｅｒ／Ｔｅｒｍｉｎａｌ）である。例えば、ＵＡＲＴドライバを使用して、このアプリケーションは、装置内の全ての機能へのアクセスを可能にする。Ｄｅｂｕｇｇｅｒ／Ｔｅｒｍｉｎａｌアプリは、デバッグのために自動テスト及びエラーログ記録を可能にし得る。
【００７４】
図２４は、例えば、分析物テストレベルデータ、薬剤、栄養、活動、及び他の健康関連情報を提示することができるユーザインタフェースを提供する例示的な方法のプロセス図を示す。方法は、患者の測定分析物レベルと、１つ又は複数の追加の健康関連因子とに関連する情報を受信するステップを含むことができる。方法は、受信した情報及び因子を処理するステップを含むことができる。方法は、処理された情報をテキスト、画像、グラフ、テーブル、オーディオ、及び／又はビデオを用いてグラフィックで提示するインタラクティブディスプレイを生成するステップを含むことができる。
【００７５】
本特許文書に記載される主題及び機能動作の実装は、本明細書に開示される構造体及びそれらの構造的均等物を含む様々なシステム、デジタル電子回路、コンピュータソフトウェア、ファームウェア、ハードウェア、又はそれらの１つ若しくは複数の組み合わせで実施することができる。本明細書に記載される主題の実装は、１つ又は複数のコンピュータプログラム製品として、すなわち、有形及び非一時的なコンピュータ可読媒体に符号化されて、データ処理装置によって実行されるか、又はデータ処理装置の動作を制御するコンピュータプログラム命令の１つ又は複数のモジュールとして実施することができる。コンピュータ可読媒体は、機械可読記憶装置、機械可読記憶基板、メモリ装置、機械可読伝搬信号をもたらす組成物、又はそれらの１つ若しくは複数の組み合わせであることができる。「データ処理装置」という用語は、例として、プログラマブルプロセッサ、コンピュータ、又は複数のプロセッサ若しくはコンピュータを含む、データを処理する全ての装置、デバイス、機械を包含する。装置は、ハードウェアに加えて、問題となっているコンピュータプログラムの実行環境を作り出すコード、例えば、プロセッサファームウェア、プロトコルスタック、データベース管理システム、オペレーティングシステム、又はそれらの１つ若しくは複数の組み合わせを構成するコードを含むことができる。
【００７６】
コンピュータプログラム（プログラム、ソフトウェア、ソフトウェアアプリケーション、スクリプト、又はコードとしても知られる）は、コンパイル型又はインタプリタ型言語を含む任意の形態のプログラミング言語で書くことができ、スタンドアロンプログラム又は計算環境での使用に適するモジュール、構成要素、サブルーチン、若しくは他のユニットとしてを含む任意の形態で配置することができる。コンピュータプログラムは必ずしも、ファイルシステム内のファイルに対応する必要はない。プログラムは、問題となっているプログラム専用の単一のファイル又は複数の調整されたファイル（例えば、１つ又は複数のモジュール、サブプログラム、又はコードの部分を記憶するファイル）内に他のプログラム又はデータ（例えば、マークアップ言語文書に記憶された１つ又は複数のスクリプト）を保持するファイルの部分に記憶することができる。コンピュータプログラムを配置して、１つのコンピュータで実行されるか、又は一カ所に配置されるか、若しくは複数のサイトに分散し、通信ネットワークで相互接続される複数のコンピュータで実行することができる。
【００７７】
本明細書に記載されるプロセス及び論理フローは、１つ又は複数のコンピュータプログラムを実行して、入力データに対して作用して、出力を生成することによって機能を実行する１つ又は複数のプログラマブルプロセッサによって実行することができる。プロセス及び論理フローはまた、特定用途向け論理回路、例えば、ＦＰＧＡ（フィールドプログラマブルゲートアレイ）又はＡＳＩＣ（特定用途向け集積回路）により実行することもでき、装置は、そのような特定用途向け論理回路として実装することもできる。
【００７８】
コンピュータプログラムの実行に適するプロセッサは、例として、汎用マイクロプロセッサ及び専用マイクロプロセッサの両方と、任意の種類のデジタルコンピュータの任意の１つ又は複数のプロセッサとを含む。一般に、プロセッサは、命令及びデータを読み取り専用メモリ、ランダムアクセスメモリ、又はこれら両方から受信する。コンピュータの基本要素は、命令を実行するプロセッサと、命令及びデータを記憶する１つ又は複数のメモリ装置とである。一般に、コンピュータは、データを記憶する１つ又は複数の大容量記憶装置、例えば、磁気ディスク、磁気光学ディスク、又は光ディスクも含み、又は大容量記憶装置に動作可能に結合されてデータの受信、転送、又はそれら両方を行う。しかし、コンピュータはそのような装置を有する必要はない。コンピュータプログラム命令及びデータに適するコンピュータ可読媒体は、例として、半導体メモリデバイスを含む全ての形態の不揮発性メモリ、媒体、及びメモリ装置、例えば、ＥＰＲＯＭ、ＥＥＰＲＯＭ、及びフラッシュメモリデバイスを含む。プロセッサ及びメモリは、専用論理回路によって補足するか、又は専用論理回路に組み込むことができる。
【００７９】
本特許文書は多くの詳細を含むが、これらは、いかなる発明の範囲への限定又は何を特許請求し得るかに対する限定として解釈されるべきではなく、むしろ、特定の発明の特定の実施形態に固有であり得る特徴の説明として解釈されるべきである。別個の実施形態の文脈の中での本特許文書で記載される特定の特徴は、単一の実施形態において組み合わせて実装することもできる。逆に、単一の実施形態の文脈の中で説明される様々な特徴は、複数の実施形態で別個に、又は任意の適する下位組み合わせで実装することもできる。更に、特徴は、特定の組み合わせで機能するものとして上述され、更には最初にそのように特許請求されるものがあるが、特許請求される組み合わせからの１つ又は複数の特徴は、幾つかの場合では、その組み合わせから除去することができ、特許請求される組み合わせは、部分的組み合わせ又は部分的組み合わせの変形に向け得る。
【００８０】
同様に、動作が図面で特定の順序で示されるが、これは、所望の結果を達成するために、そのような動作を示される特定の順序又は逐次順序で実行すること、又は示されている全ての動作を実行することを要求するものとして理解されるべきではない。更に、本特許
文書に記載される実施形態内の様々なシステム構成要素の分離が、全ての実施形態でのそのような分離を要求するものとして理解されるべきではない。
【００８１】
少数のみの実装形態及び例が説明され、本特許文書に説明され示されるものに基づいて、他の実装形態、改善形態、及び変形形態を成すことができる。
【図１】
2015531916.tif 000003
【図２Ａ】
2015531916.tif 000004
【図２Ｂ】
2015531916.tif 000005
【図３Ａ】
2015531916.tif 000006
【図３Ｂ】
2015531916.tif 000007
【図３Ｃ】
2015531916.tif 000008
【図３Ｄ】
2015531916.tif 000009
【図３Ｅ】
2015531916.tif 000010
【図４】
2015531916.tif 000011
【図５】
2015531916.tif 000012
【図６】
2015531916.tif 000013
【図７Ａ】
2015531916.tif 000014
【図７Ｂ】
2015531916.tif 000015
【図７Ｃ】
2015531916.tif 000016
【図７Ｄ】
2015531916.tif 000017
【図７Ｅ】
2015531916.tif 000018
【図７Ｆ】
2015531916.tif 000019
【図７Ｇ】
2015531916.tif 000020
【図７Ｈ】
2015531916.tif 000021
【図７Ｉ】
2015531916.tif 000022
【図７Ｊ】
2015531916.tif 000023
【図８Ａ】
2015531916.tif 000024
【図８Ｂ】
2015531916.tif 000025
【図９Ａ】
2015531916.tif 000026
【図９Ｂ】
2015531916.tif 000027
【図９Ｃ】
2015531916.tif 000028
【図９Ｄ】
2015531916.tif 000029
【図９Ｅ】
2015531916.tif 000030
【図１０Ａ】
2015531916.tif 000031
【図１０Ｂ】
2015531916.tif 000032
【図１０Ｃ】
2015531916.tif 000033
【図１０Ｄ】
2015531916.tif 000034
【図１０Ｅ】
2015531916.tif 000035
【図１１Ａ】
2015531916.tif 000036
【図１１Ｂ】
2015531916.tif 000037
【図１２Ａ】
2015531916.tif 000038
【図１２Ｂ】
2015531916.tif 000039
【図１２Ｃ】
2015531916.tif 000040
【図１２Ｄ】
2015531916.tif 000041
【図１２Ｅ】
2015531916.tif 000042
【図１３Ａ】
2015531916.tif 000043
【図１３Ｂ】
2015531916.tif 000044
【図１３Ｃ】
2015531916.tif 000045
【図１３Ｄ】
2015531916.tif 000046
【図１４Ａ】
2015531916.tif 000047
【図１４Ｂ】
2015531916.tif 000048
【図１５Ａ】
2015531916.tif 000049
【図１５Ｂ】
2015531916.tif 000050
【図１５Ｃ】
2015531916.tif 000051
【図１５Ｄ】
2015531916.tif 000052
【図１５Ｅ】
2015531916.tif 000053
【図１５Ｆ】
2015531916.tif 000054
【図１５Ｇ】
2015531916.tif 000055
【図１５Ｈ】
2015531916.tif 000056
【図１６Ａ】
2015531916.tif 000057
【図１６Ｂ】
2015531916.tif 000058
【図１６Ｃ】
2015531916.tif 000059
【図１６Ｄ】
2015531916.tif 000060
【図１６Ｅ】
2015531916.tif 000061
【図１６Ｆ】
2015531916.tif 000062
【図１７Ａ】
2015531916.tif 000063
【図１７Ｂ】
2015531916.tif 000064
【図１７Ｃ】
2015531916.tif 000065
【図１７Ｄ】
2015531916.tif 000066
【図１８】
2015531916.tif 000067
【図１９Ａ】
2015531916.tif 000068
【図１９Ｂ】
2015531916.tif 000069
【図２０Ａ】
2015531916.tif 000070
【図２０Ｂ】
2015531916.tif 000071
【図２１Ａ】
2015531916.tif 000072
【図２１Ｂ】
2015531916.tif 000073
【図２１Ｃ】
2015531916.tif 000074
【図２１Ｄ】
2015531916.tif 000075
【図２１Ｅ】
2015531916.tif 000076
【図２１Ｆ】
2015531916.tif 000077
【図２１Ｇ】
2015531916.tif 000078
【図２１Ｈ】
2015531916.tif 000079
【図２１Ｉ】
2015531916.tif 000080
【図２１Ｊ】
2015531916.tif 000081
【図２２Ａ】
2015531916.tif 000082
【図２２Ｂ】
2015531916.tif 000083
【図２２Ｃ】
2015531916.tif 000084
【図２３Ａ】
2015531916.tif 000085
【図２３Ｂ】
2015531916.tif 000086
【図２４】
2015531916.tif 000087
【国際調査報告】
2015531916.tif 000088
2015531916.tif 000089
2015531916.tif 000090